(57)【要約】洗浄時に優れた再汚染防止能を発揮することができ、界面活性剤との相溶性にも優れたアミノ基含有重合体及びその製造方法、並びに、該アミノ基含有重合体を含む洗剤組成物を提供する。特定の構造を有するアミノ基含有単量体に由来する構造単位と、ノニオン性単量体及び／又は上記以外のアミノ基含有単量体に由来する構造単位とを含むアミノ基含有重合体である。【特許請求の範囲】
【請求項１】
単量体（Ａ）に由来する構造単位（ａ）と、単量体（Ｂ）に由来する構造単位（ｂ）とを含むアミノ基含有重合体であって、
該単量体（Ａ）は、下記一般式（１）で表されるアミノ基含有単量体であり、
該単量体（Ｂ）は、単量体（Ｂ−１）及び／又は単量体（Ｂ−２）であり、
該単量体（Ｂ−１）は、ノニオン性単量体であり、
該単量体（Ｂ−２）は、単量体（Ａ）以外のアミノ基含有単量体であって、
該アミノ基含有重合体は、該アミノ基含有重合体を形成する全単量体に由来する構造単位の総量１００質量％に対して、構造単位（ａ）を１〜９９質量％含み、構造単位（ｂ）を１〜９９質量％含むことを特徴とするアミノ基含有重合体。
【化１】
2012033183.tif 000015
（一般式（１）中、Ｒ１は、水素原子又はメチル基を表す。Ｒ２は、メチレン基、エチレン基又は直接結合を表す。Ｙ１及びＹ２のいずれか一方は、水酸基を表し、残りの一方は、下記一般式（２）で表される構造又は下記一般式（３）で表される構造を表す。）
【化２】
2012033183.tif 000016
（一般式（２）中、Ｒ３、Ｒ４及びＲ５は、同一又は異なって、水素原子又は炭素数１〜２０の有機基を表す。なお、Ｒ３とＲ４とが結合して環状構造を形成していてもよい。Ｘ１−は、カウンターアニオンを表す。また、一般式（３）中、Ｒ６及びＲ７は、同一又は異なって、水素原子又は炭素数１〜２０の有機基を表す。なお、Ｒ６とＲ７とが結合して環状構造を形成してもよい。）
【請求項２】
単量体（Ａ）と単量体（Ｂ）とを重合させる工程を含むアミノ基含有重合体の製造方法であって、
該単量体（Ａ）は、下記一般式（１）で表されるアミノ基含有単量体であり、
該単量体（Ｂ）は、単量体（Ｂ−１）及び／又は単量体（Ｂ−２）であり、
該単量体（Ｂ−１）は、ノニオン性単量体であり、
該単量体（Ｂ−２）は、単量体（Ａ）以外のアミノ基含有単量体であって、
該製造方法は、使用する全単量体の総量１００質量％に対し、単量体（Ａ）を１〜９９質量％使用し、単量体（Ｂ）を１〜９９質量％使用することを特徴とするアミノ基含有重合体の製造方法。
【化３】
2012033183.tif 000017
（一般式（１）中、Ｒ１は、水素原子又はメチル基を表す。Ｒ２は、メチレン基、エチレン基又は直接結合を表す。Ｙ１及びＹ２のいずれか一方は、水酸基を表し、残りの一方は、下記一般式（２）で表される構造又は下記一般式（３）で表される構造を表す。）
【化４】
2012033183.tif 000018
（一般式（２）中、Ｒ３、Ｒ４及びＲ５は、同一又は異なって、水素原子又は炭素数１〜２０の有機基を表す。なお、Ｒ３とＲ４とが結合して環状構造を形成していてもよい。Ｘ１−は、カウンターアニオンを表す。また、一般式（３）中、Ｒ６及びＲ７は、同一又は異なって、水素原子又は炭素数１〜２０の有機基を表す。なお、Ｒ６とＲ７とが結合して環状構造を形成してもよい。）
【請求項３】
請求項１に記載のアミノ基含有重合体を含むことを特徴とする洗剤組成物。
【発明の詳細な説明】
【技術分野】
【０００１】
本発明は、アミノ基含有重合体及びその製造方法、並びに、洗剤組成物に関する。より詳しくは、洗剤組成物等の原料として有用なアミノ基含有重合体及びその製造方法、並びに、アミノ基含有重合体を含む洗剤組成物に関する。
【背景技術】
【０００２】
従来より、アミノ基含有重合体は、凝固剤、凝集剤、印刷インク、接着剤、洗剤用添加剤、土壌調整（改質）剤、難燃剤、シャンプー・ヘアースプレー・石鹸・化粧品用添加剤、アニオン交換樹脂、繊維・写真用フィルムの染料媒染剤や助剤、製紙における顔料展着剤、紙力増強剤、乳化剤、防腐剤、織物・紙の柔軟剤、潤滑油の添加剤等、幅広い分野で用いられている。例えば、特許文献１には、下記一般式を有する重合体が、洗浄剤等の用途において優れた性能を発揮することが開示されている。【０００３】
【化１】
2012033183.tif 000002
【０００４】
また例えば、特許文献２には、ビニルピリジン部を有する単量体に由来した構造単位を含む高分子化合物を含有する洗剤組成物が高い洗浄力を示すことが開示されている。
【先行技術文献】
【特許文献】
【０００５】
【特許文献１】特開２００５−１７０９７７号公報
【特許文献２】特開２００８−１７７０号公報
【発明の概要】
【発明が解決しようとする課題】
【０００６】
上述したように、アミノ基含有重合体として様々な構造を持ったものが検討されている。
ところで、近年、消費者の環境意識が高まってきたことにより、節水を目的として、風呂の残り湯を洗濯に使用する等の洗濯が定着してきた。これによって、風呂の残り湯に含まれる汚れ成分が洗濯中に繊維等に付着したり、風呂の追い焚きによって硬水成分が濃縮してしまったりするといったことが課題となるため、より高硬度下においても、洗濯中に汚れ成分の繊維への再付着を抑制する性能（再汚染防止能という）が従来よりも厳しく求められるようになってきている。また、現在需要の増大している液体洗剤は、界面活性剤の含有量が５０％以上であるような濃縮液体洗剤であるため、洗剤添加剤にはこのような濃縮液体洗剤への配合に適したものであることが必要とされ、従来よりも界面活性剤との相溶性に優れた洗剤添加剤が求められている。【０００７】
しかしながら、従来のアミノ基含有重合体は、このような水系用途の性能に関して、最近の厳しい要求を必ずしも充分に満足させることができるものとはいえないため、上述したような新たなニーズに対応する、より高い性能を発揮する洗剤添加剤に好適に用いることができる重合体を得るための改良の余地があった。【０００８】
本発明は、上記現状に鑑みてなされたものであり、洗浄時に優れた再汚染防止能を発揮することができ、界面活性剤との相溶性にも優れたアミノ基含有重合体及びその製造方法、並びに、該アミノ基含有重合体を含む洗剤組成物を提供することを目的とする。
【課題を解決するための手段】
【０００９】
本発明者は、洗剤添加剤等として好適に用いることができる重合体について検討し、特定の構造を有するアミノ基含有単量体に由来する構造単位と、ノニオン性単量体、及び／又は、当該アミノ基含有単量体以外のアミノ基含有単量体に由来する構造単位とを有するアミノ基含有重合体が、高硬度下においても、極めて良好な再汚染防止能を発揮することができ、界面活性剤との相溶性も高いことを見いだした。また、当該重合体中の各構造単位の含有量を特定の範囲に調整することにより、上述した性能が一層優れたものとなり、このような重合体を、新たなニーズに対応する洗剤添加剤として好適に用いることができることを見いだした。更に、このようなアミノ基含有重合体を含む洗剤組成物は、分散性能に特に優れ、また、長期間保存した場合の性能低下や、低温で保持した場合の不純物析出等が生じにくいことから、極めて高品質剤性能で安定性に優れたものとなることを見いだし、上記課題をみごとに解決することができることに想到し、本発明に到達した。【００１０】
すなわち本発明は、単量体（Ａ）に由来する構造単位（ａ）と、単量体（Ｂ）に由来する構造単位（ｂ）とを含むアミノ基含有重合体であって、該単量体（Ａ）は、下記一般式（１）で表されるアミノ基含有単量体であり、該単量体（Ｂ）は、単量体（Ｂ−１）及び／又は単量体（Ｂ−２）であり、該単量体（Ｂ−１）は、ノニオン性単量体であり、該単量体（Ｂ−２）は、単量体（Ａ）以外のアミノ基含有単量体であって、該アミノ基含有重合体は、該アミノ基含有重合体を形成する全単量体に由来する構造単位の総量１００質量％に対して、構造単位（ａ）を１〜９９質量％含み、構造単位（ｂ）を１〜９９質量％含むアミノ基含有重合体である。【００１１】
【化２】
2012033183.tif 000003
【００１２】
（一般式（１）中、Ｒ１は、水素原子又はメチル基を表す。Ｒ２は、メチレン基、エチレン基又は直接結合を表す。Ｙ１及びＹ２のいずれか一方は、水酸基を表し、残りの一方は、下記一般式（２）で表される構造又は下記一般式（３）で表される構造を表す。）【００１３】
【化３】
2012033183.tif 000004
【００１４】
（一般式（２）中、Ｒ３、Ｒ４及びＲ５は、同一又は異なって、水素原子又は炭素数１〜２０の有機基を表す。なお、Ｒ３とＲ４とが結合して環状構造を形成していてもよい。Ｘ１−は、カウンターアニオンを表す。また、一般式（３）中、Ｒ６及びＲ７は、同一又は異なって、水素原子又は炭素数１〜２０の有機基を表す。なお、Ｒ６とＲ７とが結合して環状構造を形成してもよい。）【００１５】
本発明はまた、単量体（Ａ）と単量体（Ｂ）とを重合させる工程を含むアミノ基含有重合体の製造方法であって、該単量体（Ａ）は、上記一般式（１）で表されるアミノ基含有単量体であり、該単量体（Ｂ）は、単量体（Ｂ−１）及び／又は単量体（Ｂ−２）であり、該単量体（Ｂ−１）は、ノニオン性単量体であり、該単量体（Ｂ−２）は、単量体（Ａ）以外のアミノ基含有単量体であって、該製造方法は、使用する全単量体の総量１００質量％に対し、単量体（Ａ）を１〜９９質量％使用し、単量体（Ｂ）を１〜９９質量％使用するアミノ基含有重合体の製造方法でもある。【００１６】
本発明は更に、上記アミノ基含有重合体を含む洗剤組成物でもある。
以下に本発明を詳述する。なお、以下において段落に分けて記載される本発明の好ましい形態の２つ又は３つ以上を組み合わせたものも本発明の好ましい形態である。【００１７】
〔アミノ基含有重合体〕
＜アミノ基含有単量体（Ａ）＞
本発明のアミノ基含有重合体は、単量体（Ａ）に由来する構造単位（ａ）を含むが、該単量体（Ａ）とは、上記一般式（１）で表されるアミノ基含有単量体である。
上記一般式（１）において、Ｒ２が直接結合である場合とは、上記一般式（１）における「Ｈ２Ｃ＝Ｃ（Ｒ１）−Ｒ２−Ｏ−」が「Ｈ２Ｃ＝Ｃ（Ｒ１）−Ｏ−」であることを意味する。なお、「Ｈ２Ｃ＝Ｃ（Ｒ１）−Ｒ２−」は、Ｒ１がＣＨ３基、Ｒ２がＣＨ２基の場合は、メタリル基であり、Ｒ１がＣＨ３基、Ｒ２がＣＨ２ＣＨ２基の場合は、イソプレニル基であり、Ｒ１がＣＨ３基、Ｒ２が直接結合の場合は、イソプロペニル基であり、Ｒ１が水素原子、Ｒ２がＣＨ２基の場合は、アリル基であり、Ｒ１が水素原子、Ｒ２がＣＨ２ＣＨ２基の場合は、ブテニル基であり、Ｒ１が水素原子、Ｒ２が直接結合の場合は、ビニル基である。【００１８】
上記アミノ基含有単量体（Ａ）における重合可能な炭素−炭素二重結合を有する基、すなわち「Ｈ２Ｃ＝Ｃ（Ｒ１）−Ｒ２−」としては、イソプレニル基、メタリル基、アリル基、ビニル基が好ましい。重合性を高める観点からは、イソプレニル基、メタリル基、アリル基がより好ましく、イソプレニル基、メタリル基が特に好ましい。【００１９】
上記一般式（１）におけるＹ１及びＹ２は、その一方が水酸基を表し、残りの一方が、上述した一般式（２）で表される構造又は一般式（３）で表される構造を表す。このような一般式（２）又は（３）の構造を有することにより、本発明のアミノ基含有重合体の無機粒子や汚れ成分等の分散性が顕著に向上する。【００２０】
上記一般式（２）におけるＲ３、Ｒ４及びＲ５は、同一又は異なって、水素原子又は炭素数１〜２０の有機基を表し、上記一般式（３）におけるＲ６及びＲ７は、同一又は異なって、水素原子又は炭素数１〜２０の有機基を表す。
上記炭素数１〜２０の有機基は、全体として炭素数が１〜２０であれば特に限定されないが、アルキル基、アリール基及びアルケニル基からなる群より選択される少なくとも１種の基であることが好ましい。
上記炭素数１〜２０の有機基はまた、無置換の基であってもよいし、水素原子の１又は２以上が他の有機基によって置換された基であってもよい。この場合の他の有機基としては、例えば、アルキル基（Ｒ３、Ｒ４及びＲ５で表される有機基がアルキル基である場合には、置換後の有機基は全体として無置換のアルキル基に該当する。）、アリール基、アルケニル基、アルコキシ基、水酸基、アシル基、エーテル基、アミド基、エステル基、ケトン基、カルボキシル基、カルボキシル基の塩、スルホン酸基、スルホン酸基の塩等が挙げられる。【００２１】
上記炭素数１〜２０の有機基において、その炭素数は１〜８が好ましく、１〜５がより好ましく、１〜２が更に好ましい。炭素数が上記範囲にあれば、高い収率でアミノ基含有単量体（Ａ）を製造することができるため、単量体の重合性及び得られる重合体の純度が向上する。また、得られる重合体の再汚染防止能も向上する。【００２２】
上記炭素数１〜２０の有機基として具体的には、例えば、メチル基、エチル基、イソプロピル基、ｎ−プロピル基、ｎ−ブチル基、イソブチル基、オクチル基、ラウリル基、ステアリル基、シクロヘキシル基、２−エチルヘキシル基等のアルキル基；ブチレン基、オクチレン基、ノニレン基等のアルケニル基；フェニル基、ベンジル基、フェネチル基、２，３−若しくは２，４−キシリル基、メシチル基、ナフチル基等のアリール基；これらの基における水素原子の一部が、アルコキシ基、カルボキシエステル基、アミノ基、アミド基、水酸基、カルボキシル基、カルボキシル基の塩、スルホン酸基、スルホン酸基の塩等で置換された基（例えば、ヒドロキシエチル基、ヒドロキシプロピル基等）；等が挙げられる。中でも、得られる重合体の再汚染防止能を向上させる観点から、メチル基、エチル基が好ましい。【００２３】
上記一般式（２）におけるＲ３及びＲ４、又は、上記一般式（３）におけるＲ６及びＲ７は、夫々結合して環状構造を形成していてもよい。この場合、環状構造が安定する点で、窒素原子、Ｒ３及びＲ４（又は、Ｒ６及びＲ７）で形成される環状構造は、３〜７員環であること、すなわちＲ３及びＲ４の炭素数の合計（又は、Ｒ６及びＲ７の炭素数の合計）が２〜６であることが好ましい。【００２４】
上記アミノ基含有単量体（Ａ）が四級化した窒素原子を有する場合、四級化した窒素原子近傍には、カウンターアニオンＸ１−が存在することになる。
上記カウンターアニオンＸ１−の種類は特に限定されないが、例えば、ハロゲン原子のイオン、アルキル硫酸イオン、有機酸のイオンが好ましい。
上記ハロゲン原子のイオンとして具体的には、塩素原子、臭素原子、ヨウ素原子、フッ素原子等のイオンが挙げられる。中でも、塩素原子、臭素原子、ヨウ素原子のイオンが好ましく、塩素原子のイオンがより好ましい。
上記アルキル硫酸イオンとして具体的には、メチル硫酸イオン、エチル硫酸イオン等が挙げられる。中でも、メチル硫酸イオンが好ましい。
上記有機酸のイオンとしては、酢酸イオン（ＣＨ３ＣＯＯ−）、プロピオン酸イオン（ＣＨ３ＣＨ２ＣＯＯ−）が好ましい。【００２５】
本発明のアミノ基含有重合体は、単量体（Ａ）に由来する構造単位（ａ）を含むが、当該構造単位（ａ）とは、アミノ基含有単量体（Ａ）の炭素−炭素二重結合が単結合になった構造であり、下記一般式（４）で表すことができる。なお、式中のＲ１、Ｒ２、Ｙ１及びＹ２は、上述したとおりである。【００２６】
【化４】
2012033183.tif 000005
【００２７】
ここで、本発明のアミノ基含有重合体が「単量体（Ａ）に由来する構造単位（ａ）を含む」とは、最終的に得られた重合体が上記一般式（４）で表される構造単位を含むことを意味する。すなわち、本発明における「単量体（Ａ）に由来する構造単位（ａ）」には、単量体（Ａ）を合成した後、それを他の単量体成分と共重合させることによって重合体中に導入されるものだけでなく、例えば、まずアミノ基含有重合体の主鎖部分を共重合によって形成し、その後、特定の構造を有する側鎖を導入して得られるもののように、形成工程が重合反応の前後にわたるものも含まれる。【００２８】
上記アミノ基含有重合体において、上記構造単位（ａ）の含有量は、該アミノ基含有重合体を形成する全単量体に由来する構造単位の総量（すなわち、構造単位（ａ）、後述する構造単位（ｂ）及び（ｅ）の総量）１００質量％に対し、１質量％以上、９９質量％以下である。構造単位（ａ）の含有量が上記範囲内であれば、重合体の再汚染防止能や界面活性剤との相溶性の顕著な向上効果が得られる。構造単位（ａ）の含有量として好ましくは、５質量％以上、９０質量％以下であり、より好ましくは１０質量％以上、８０質量％以下であり、更に好ましくは１５質量％以上、７０質量％以下である。
なお、上記構造単位（ａ）の、全単量体由来の構造単位の総量に対する質量割合（質量％）や、上記単量体（Ａ）の、全単量体の総量に対する質量割合を算出する際には、カウンターアニオンの質量は考慮しないで（含めないで）計算するものとする。
また上記アミノ基含有重合体が有する構造単位（ａ）は、１種のみであってもよく、２種以上であってもよい。【００２９】
上記構造単位（ａ）はまた、再汚染防止能の向上効果が特に高いことから、上記一般式（２）で表される構造単位を有することが好ましい。
上記一般式（２）で表される構造単位の含有量としては、アミノ基含有重合体を形成する全単量体に由来する構造単位の総量１００質量％に対し、１質量％以上、９９質量％以下であることが好ましい。【００３０】
＜アミノ基含有単量体（Ａ）の製造方法＞
上記アミノ基含有単量体（Ａ）の調製方法としては特に制限されず、任意の適切な方法により調製することができる。例えば、上記アミノ基含有単量体（Ａ）を高い収率で製造することができることから、下記製造方法（１）〜（６）のいずれかの方法により製造することが好ましい。【００３１】
製造方法（１）：下記一般式（５）；【００３２】
【化５】
2012033183.tif 000006
【００３３】
（式中、Ｒ１及びＲ２は、上述したとおりである。）で表されるグリシジルエーテル基含有単量体と、三級アミン塩とを反応させる工程（工程１）を含む製造方法。
製造方法（２）：上記一般式（５）で表されるグリシジルエーテル基含有単量体と二級アミンとを反応させる工程（工程２−１）、及び、工程２−１の反応生成物と四級化剤とを反応させる工程（工程２−２）を含む製造方法。
製造方法（３）：上記一般式（５）で表されるグリシジルエーテル基含有単量体と、アンモニア、一級アミン及び二級アミンからなる群より選択される少なくとも１種とを反応させる工程（工程３）を含む製造方法。
製造方法（４）：下記一般式（６）；【００３４】
【化６】
2012033183.tif 000007
【００３５】
（式中、Ｒ１及びＲ２は、上述したとおりである。Ｘ２は、ハロゲン原子を表す。）で表されるハロゲン化物と、三級アミンとを反応させる工程（工程４）を含む製造方法。
製造方法（５）：上記一般式（６）で表されるハロゲン化物と、アンモニア、一級アミン及び二級アミンからなる群より選択される少なくとも１種とを反応させる工程（工程５）を含む製造方法。
製造方法（６）：下記一般式（７）；【００３６】
【化７】
2012033183.tif 000008
【００３７】
（式中、Ｒ１及びＲ２は、上述したとおりである。）で表される水酸基含有単量体と、グリシジルトリアルキルアンモニウム塩とを反応させる工程（工程６）を含む製造方法。【００３８】
上記製造方法（１）〜（６）について、更に説明する。
−製造方法（１）、（２）、（３）−
上記製造方法（１）、（２）及び（３）において、上記一般式（５）で表されるグリシジルエーテル基含有単量体は、市販のものを、そのまま、又は、精製して使用することができる。また、例えば、上記一般式（７）で表される水酸基含有単量体と、エピハロヒドリンとを反応させる工程（工程Ａ）を含む製造方法により、製造してもよい。
上記一般式（７）で表される水酸基含有単量体としては、例えば、（メタ）アリルアルコールや、イソプレノールを好ましく使用することができる。これにより、得られるアミノ基含有単量体（Ａ）の純度を高くすることができる。【００３９】
上記工程（Ａ）において用いられるエピハロヒドリンとしては、下記一般式（８）で表されるものが好ましい。なお、式中、Ｘ’は、ハロゲン原子を表す。【００４０】
【化８】
2012033183.tif 000009
【００４１】
上記エピハロヒドリンとして具体的には、例えば、エピクロルヒドリン、エピブロモヒドリン、エピヨードヒドリン等が挙げられる。中でも、工業的に安価なことから、エピクロルヒドリンが好ましい。【００４２】
上記工程Ａの反応工程は、アルカリ化合物の存在下で行われることが好ましい。また、必要に応じて、アルカリ化合物と、相間移動触媒及び／又は溶媒との存在下で行われることが好適である。
上記アルカリ化合物としては、特に限定されないが、例えば、水酸化ナトリウム、水酸化カリウム等のアルカリ金属水酸化物が好ましい。
上記アルカリ化合物の使用量は、上記一般式（７）で表される水酸基含有単量体の水酸基（水酸基価換算）とアルカリ化合物とのモル比〔（水酸基）／（アルカリ化合物）〕が１５／１〜１／１５となるように設定することが好ましい。より好ましくは５／１〜１／５であり、更に好ましくは３／１〜１／３である。
上記アルカリ化合物は、そのまま反応系に投入してもよいし、水溶液の状態で使用してもよい。水溶液として用いる場合には、水（反応の進行に伴い副生する水も含む）を除去しながら反応を行ってもよい。【００４３】
上記相間移動触媒の種類は特に限定されないが、例えば、テトラメチルアンモニウムクロリド、テトラブチルアンモニウムクロリド、テトラオクチルアンモニウムクロリド、ベンジルトリメチルアンモニウムクロリド、トリエチルアンモニウムクロリド、トリエチルアンモニウムブロミド等の四級アンモニウム塩；テトラブチルホスホニウムクロリド、テトラブチルホスホニウムブロミド等のホスホニウム塩；１５−クラウン−５、１８−クラウン−６等のクラウンエーテル類等が挙げられる。【００４４】
上記工程Ａにおいて、エピハロヒドリンの使用量は、上記一般式（７）で表される水酸基含有単量体の水酸基（水酸基価換算）とエピハロヒドリンとのモル比〔（水酸基）／（エピハロヒドリン）〕が１／１〜１／３０となるように設定することが好ましい。上記範囲外では、架橋成分が生じる場合があり、重合時にゲル化してしまうおそれがある。より好ましくは１／１〜１／１０であり、更に好ましくは１／１〜１／５である。【００４５】
上記工程Ａの反応は、溶媒非存在下に実施することが、効率よく反応が進行し、容積効率の観点からより好ましいが、溶媒の存在下でも実施できる。また、工程Ａの後に、蒸留、蒸発、脱塩等の精製工程を設けてもよい。
上記溶媒としては、反応に悪影響が少ないものが好ましく、使用できる溶媒としては、例えば、ヘキサン、オクタン、シクロヘキサン、トルエン等の炭化水素類；ジエチルエーテル、テトラヒドロフラン等のエーテル類；アセトン、メチルエチルケトン等のケトン類；ジクロロメタン等の塩素系炭化水素類等を挙げることができる。【００４６】
上記製造方法（１）において用いられる三級アミン塩としては、下記一般式（９）で表されるものが好ましい。なお、式中、Ｒ３、Ｒ４、Ｒ５及びＸ１−は、上述したとおりである。【００４７】
【化９】
2012033183.tif 000010
【００４８】
上記三級アミン塩として具体的には、例えば、トリメチルアミン、ジメチルエチルアミン、ジメチルイソプロピルアミン、ジメチル−ｎ−プロピルアミン、ジメチルシクロヘキシルアミン、トリエチルアミン、トリイソプロピルアミン、トリ−ｎ−プロピルアミン、トリブチルアミン、トリラウリルアミン、トリステアリルアミン、トリシクロヘキシルアミン、トリ−２−エチルヘキシルアミン、トリエタノールアミン、トリス（２−ヒドロキシプロピル）アミン等の三級アミンの、塩酸塩、臭化水素酸塩、ヨウ化水素酸塩、硝酸塩、酢酸塩、過塩素酸塩、パラトルエンスルホン酸塩等が挙げられる。中でも、高い収率でアミノ基含有単量体（Ａ）を製造することができることから、トリメチルアミン塩酸塩、トリエチルアミン塩酸塩、ジメチルエチルアミン塩酸塩が好ましい。【００４９】
上記製造方法（１）において、三級アミン塩の使用量は、上記一般式（５）で表されるグリシジルエーテル基含有単量体のグリシジル基のモル数に対して、モル比で、（三級アミン塩）／（グリシジル基）＝２／１〜１／２であることが好ましい。より好ましくは１．５／１〜１／１．５であり、更に好ましくは１．３／１〜１／１．３である。【００５０】
上記三級アミン塩は、水溶液の状態で使用してもよい。この場合、三級アミン塩を５質量％以上含有する水溶液であることが好ましい。三級アミン塩の含有量が５質量％未満の場合には、反応で得られるアミノ基含有単量体（Ａ）の選択率が低下する場合がある。より好ましくは三級アミン塩を１０質量％以上含有する水溶液であり、更に好ましくは三級アミン塩を１５質量％以上含有する水溶液である。【００５１】
上記製造方法（２）及び（３）（並びに後述する製造方法（５））において用いられる二級アミンとしては、下記一般式（１０）で表されるものが好ましい。なお、式中、Ｒ６及びＲ７は、上述したとおりである。【００５２】
【化１０】
2012033183.tif 000011
【００５３】
上記二級アミンとして具体的には、例えば、ジメチルアミン、メチルエチルアミン、ジエチルアミン、ジイソプロピルアミン、ジ−ｎ−プロピルアミン、ジ−ｎ−ブチルアミン、ジオクチルアミン、ジラウリルアミン、ジステアリルアミン、ジシクロヘキシルアミン、ジ−２−エチルヘキシルアミン等のジアルキルアミン類；ジエタノールアミン、ビス（２−ヒドロキシプロピル）アミン等のジアルカノールアミン類；モルホリン、ピロール等の環状アミン類；等が挙げられる。中でも、高い収率でアミノ基含有単量体（Ａ）を製造することができることから、ジメチルアミン、メチルエチルアミン、ジエチルアミン、ジエタノールアミンが好ましい。【００５４】
上記製造方法（２）において、二級アミンの使用量は、上記一般式（５）で表されるグリシジルエーテル基含有単量体のグリシジル基のモル数に対して、モル比で、（アミン）／（グリシジル基）＝２／１〜１／２であることが好ましい。より好ましくは１．５／１〜１／１．５であり、更に好ましくは１．３／１〜１／１．３である。【００５５】
上記製造方法（２）において用いられる四級化剤としては、例えば、塩化メチル、塩化エチル、臭化メチル、臭化エチル、ヨウ化メチル、ヨウ化エチル等のハロゲン化アルキル；塩化ベンジル、臭化ベンジル、ヨウ化ベンジル等のハロゲン化ベンジル；ジメチル硫酸、ジエチル硫酸等のジアルキル硫酸；パラトルエンスルホン酸メチル、パラトルエンスルホン酸エチル等のスルホン酸アルキルが挙げられる。中でも、工業的に入手が容易なことから、塩化メチル、塩化ベンジル、ジメチル硫酸が好ましい。【００５６】
上記製造方法（２）において、四級化剤の使用量は、工程２−１で得られた反応生成物のアミノ基のモル数に対して、モル比で、（四級化剤）／（アミノ基）＝２／１〜１／２であることが好ましい。より好ましくは１．５／１〜１／１．５であり、更に好ましくは１．３／１〜１／１．３である。【００５７】
上記製造方法（３）（並びに後述する製造方法（５））において用いられる一級アミンとして具体的には、例えば、メチルアミン、エチルアミン、イソプロピルアミン、ｎ−プロピルアミン、ｎ−ブチルアミン、オクチルアミン、ラウリルアミン、ステアリルアミン、シクロヘキシルアミン、２−エチルヘキシルアミン等のアルキルアミン類；エタノールアミン、２−ヒドロキシプロピルアミン等のアルカノールアミン類；等が挙げられる。中でも、高い収率でアミノ性基含有単量体（Ａ）を製造することができることから、メチルアミン、エチルアミン、エタノールアミンが好ましい。【００５８】
上記製造方法（３）において、アンモニア、一級アミン及び二級アミンからなる群より選択される少なくとも１種の使用量は、上記一般式（５）で表されるグリシジルエーテル基含有単量体のグリシジル基のモル数に対して、モル比で、（アンモニア、一級アミン及び二級アミンの合計量）／（グリシジル基）＝２／１〜１／２であることが好ましい。より好ましくは１．５／１〜１／１．５であり、更に好ましくは１．３／１〜１／１．３である。【００５９】
上記製造方法（１）、（２）及び（３）における工程１〜３の反応は、溶媒非存在下に実施することが、効率よく反応が進行し、容積効率の観点からより好ましいが、溶媒の存在下でも実施してもよい。
上記溶媒としては、反応に悪影響が少ないものが好ましく、使用できる溶媒としては、例えば、水；エタノール、イソプロパノール等のアルコール類；ジエチルエーテル、テトラヒドロフラン等のエーテル類；アセトン、メチルエチルケトン等のケトン類等を挙げることができる。【００６０】
−製造方法（４）、（５）−
上記製造方法（４）において用いられる三級アミンとしては、下記一般式（１１）で表されるものが好ましい。なお、式中、Ｒ３、Ｒ４及びＲ５は、上述したとおりである。【００６１】
【化１１】
2012033183.tif 000012
【００６２】
上記三級アミンとして具体的には、例えば、トリメチルアミン、ジメチルエチルアミン、ジメチルイソプロピルアミン、ジメチル−ｎ−プロピルアミン、ジメチルシクロヘキシルアミン、トリエチルアミン、トリイソプロピルアミン、トリ−ｎ−プロピルアミン、トリブチルアミン、トリラウリルアミン、トリステアリルアミン、トリシクロヘキシルアミン、トリ−２−エチルヘキシルアミン等のトリアルキルアミン類；トリエタノールアミン、トリス（２−ヒドロキシプロピル）アミン等のトリアルカノールアミン類；等が挙げられる。中でも、高い収率でアミノ基含有単量体（Ａ）を製造することができることから、トリメチルアミン、ジメチルエチルアミン、トリエチルアミン、トリエタノールアミンが好ましい。【００６３】
上記製造方法（４）において、三級アミンの使用量は、上記一般式（６）で表されるハロゲン化物のハロゲン基のモル数に対して、モル比で、（アミン）／（ハロゲン基）＝２／１〜１／２であることが好ましい。より好ましくは１．５／１〜１／１．５であり、更に好ましくは１．３／１〜１／１．３である。【００６４】
上記製造方法（５）において、アンモニア、一級アミン及び二級アミンからなる群より選択される少なくとも１種の使用量は、上記一般式（６）で表されるハロゲン化物のハロゲン基のモル数に対して、モル比で、（アンモニア、一級アミン及び二級アミンの合計量）／（ハロゲン基）＝２／１〜１／２であることが好ましい。より好ましくは１．５／１〜１／１．５であり、更に好ましくは１．３／１〜１／１．３である。【００６５】
上記製造方法（４）及び（５）においては、工程４及び工程５の前に、上記一般式（６）で表されるハロゲン化物を洗浄等する工程を行ってもよい。
また工程４、５の反応は、必要に応じてｐＨを調整して行われる。ｐＨの調整は、反応前又は反応中に行ってもよく、また、アルカリ性化合物を添加して行うことが好ましい。アルカリ性化合物としては、水酸化ナトリウム、水酸化カリウム等のアルカリ金属の水酸化物等が挙げられる。【００６６】
上記一般式（６）で表されるハロゲン化物は、例えば、上記一般式（７）で表される水酸基含有単量体とエピハロヒドリンとを反応させる工程（工程Ｂ）を含む製造方法により、製造してもよい。【００６７】
上記工程Ｂの反応は、触媒の存在下で行うことが好ましい。触媒としては、酸でも塩基でも構わないが、酸が好ましい。酸としては、ルイス酸でもブレンステッド酸でも構わないが、ルイス酸が好ましい。ルイス酸としては、一般的にルイス酸と呼ばれるものが使用できるが、例えば、三フッ化ホウ素、四塩化錫、二塩化錫、塩化亜鉛、塩化第二鉄、塩化アルミニウム、四塩化チタン、塩化マグネシウム、五塩化アンチモン等が挙げられる。
上記触媒の使用量は、上記一般式（７）で表される水酸基含有単量体の水酸基（水酸基価換算）を１（モル）とすると、通常は、０．０００１〜０．１（モル）である。触媒量が少なすぎると充分な触媒効果は得られず、多過ぎても、それ以上の効果はなく、経済的に不利である。好ましくは０．０００５〜０．０５（モル）であり、より好ましくは０．００１〜０．０３（モル）である。【００６８】
上記工程Ｂの反応に用いるエピハロヒドリンの使用量としては、上記一般式（７）で表される水酸基含有単量体の水酸基（水酸基価換算）を１（モル）とすると、通常は、１〜３０（モル）である。上記範囲外では架橋成分が生じる場合があり、重合時にゲル化してしまうおそれがある。好ましくは１〜１０（モル）であり、より好ましくは１〜５（モル）である。【００６９】
−製造方法（６）−
上記製造方法（６）において用いられるグリシジルトリアルキルアンモニウム塩としては、下記一般式（１２）で表されるものが好ましい。なお、式中、Ｒ３、Ｒ４及びＲ５は、上述したとおりである。Ｘ４−は、ハロゲン原子のイオンを表す。【００７０】
【化１２】
2012033183.tif 000013
【００７１】
上記グリシジルトリアルキルアンモニウム塩として具体的には、例えば、グリシジルトリメチルアンモニウムクロリド、グリシジルトリエチルアンモニウムクロリド、グリシジルトリメチルアンモニウムブロミド、グリシジルトリエチルアンモニウムブロミド等が挙げられる。中でも、工業的に入手が容易なことから、グリシジルトリメチルアンモニウムクロリドが好ましい。【００７２】
上記工程６の反応は、必要に応じて触媒の存在下で行われる。反応に用いる触媒としては、例えば、水酸化ナトリウム、水酸化カリウム、炭酸カリウム、炭酸ナトリウム等のアルカリ金属塩；テトラメチルアンモニウムクロリド、テトラブチルアンモニウムクロリド、テトラオクチルアンモニウムクロリド、ベンジルトリメチルアンモニウムクロリド、トリエチルアンモニウムクロリド、トリエチルアンモニウムブロミド等の四級アンモニウム塩等が挙げることができる。【００７３】
上記触媒の使用量は、上記一般式（７）で表される水酸基含有単量体の水酸基（水酸基価換算）を１（モル）とすると、通常は、０．０００１〜０．３（モル）である。触媒量が少なすぎると充分な触媒効果は得られず、多過ぎても、それ以上の効果はなく、経済的に不利である。好ましくは０．００１〜０．２（モル）であり、より好ましくは０．００５〜０．１（モル）である。【００７４】
上記工程６の反応は、溶媒非存在下に実施することが、効率よく反応が進行し、容積効率の観点からより好ましいが、溶媒の存在下でも実施できる。
上記溶媒としては、反応に悪影響が少ないものが好ましく、使用できる溶媒としては、工程１〜３で使用できる溶媒と同様である。【００７５】
上記製造方法（６）において、グリシジルトリアルキルアンモニウム塩の使用量は、上記一般式（７）で表される水酸基含有単量体の水酸基（水酸基価換算）に対して、モル比で、（グリシジルトリアルキルアンモニウム塩）／（水酸基）＝５／１〜１／５であることが好ましい。より好ましくは３／１〜１／３であり、更に好ましくは１．５／１〜１／１．５である。【００７６】
上記製造方法（１）〜（６）における各工程の反応は、攪拌に問題が生じない温度で実施することが好ましい。具体的には、反応温度は０〜２００℃であることが好ましい。より好ましくは１５〜１５０℃であり、更に好ましくは３０〜１００℃である。反応時間は、０．１〜５０時間が好ましい。より好ましくは０．５〜３０時間であり、更に好ましくは１〜１５時間である。上記反応は、空気雰囲気下で行ってもよいし、不活性ガス雰囲気下で行ってもよい。また、減圧下、大気圧下、加圧下のいずれでも実施できる。【００７７】
上記アミノ基含有単量体（Ａ）は上記の製造方法（１）〜（６）により好ましく製造することができるが、必要に応じて精製工程を設けてもよい。抽出や洗浄による精製工程を行うことにより、重合時にゲル化を引き起こす原因となる架橋成分の量を低減することができる。【００７８】
上記アミノ基含有単量体（Ａ）が上記一般式（２）の構造を有する場合、当該単量体中のカウンターアニオン（Ｘ１−）は、上記製法で得た後にイオン交換法により所望のアニオン種に変換することができるが、各製法で使用する原料を適宜選択することにより所望のアニオン種を導入することが、簡便であるため好ましい。すなわち、製造方法（１）では、三級アミン塩のアニオンを、上記カウンターアニオンとして導入できる。製造方法（２）では、四級化剤により、上記カウンターアニオンを導入できる。また、製造方法（６）では、グリシジルトリアルキルアンモニウム塩のカウンターアニオンが、アミノ基含有単量体（Ａ）中のカウンターアニオンとして導入できる。【００７９】
＜単量体（Ｂ）＞
本発明のアミノ基含有重合体はまた、単量体（Ｂ）に由来する構造単位（ｂ）を含む。
上記単量体（Ｂ）は、単量体（Ｂ−１）及び／又は単量体（Ｂ−２）である。言い換えれば、上記単量体（Ｂ）は、単量体（Ｂ−１）、単量体（Ｂ−２）、又は、単量体（Ｂ−１）と単量体（Ｂ−２）との混合物、のいずれかである。
上記単量体（Ｂ−１）は、ノニオン性単量体であり、単量体（Ｂ−２）とは、上述した単量体（Ａ）以外のアミノ基含有単量体である。
なお、構造単位（ｂ）は、１種であってもよいし、２種以上であってもよい。【００８０】
本発明のアミノ基含有重合体における単量体（Ｂ）の主要な役割は、上記アミノ基含有単量体（Ａ）由来の構造を、重合体の好ましい位置に配置することや、また、上記単量体（Ａ）が単独重合性に乏しいことから、適度な分子量や分子量分布に制御する為の単量体（Ａ）同士のつなぎの役割である。したがって、上記単量体（Ａ）との共重合性が良好なこと、単量体（Ｂ）自体が単独重合性を有すること、単量体（Ｂ）由来の構造が、単量体（Ａ）由来の構造の効果を阻害しないこと、が要求される。【００８１】
−ノニオン性単量体（Ｂ−１）−
上記ノニオン性単量体（Ｂ−１）は、非イオン性の単量体であるが、具体的には、例えば、メチル（メタ）アクリレート、エチル（メタ）アクリレート、ブチル（メタ）アクリレート、２−エチルヘキシル（メタ）アクリレート、ドデシル（メタ）アクリレート等の（メタ）アクリル酸アルキルエステル系単量体；ヒドロキシエチル（メタ）アクリレート、２−ヒドロキシエチル（メタ）アクリレート、ヒドロキシブチル（メタ）アクリレート、２−ヒドロキシブチル（メタ）アクリレート、４−ヒドロキシブチル（メタ）アクリレート、α−ヒドロキシメチルエチル（メタ）アクリレート、ヒドロキシペンチル（メタ）アクリレート、ヒドロキシネオペンチル（メタ）アクリレート、ヒドロキシヘキシル（メタ）アクリレート等の（メタ）アクリル酸ヒドロキシアルキル系単量体；スチレン、インデン、ビニルアニリン等のビニルアリール単量体；イソブチレン等のアルケン類；酢酸ビニル等のカルボン酸ビニル類；Ｎ−ビニルピロリドン、Ｎ−ビニルホルムアミド、Ｎ−ビニルアセトアミド、Ｎ−ビニル−Ｎ−メチルホルムアミド、Ｎ−ビニル−Ｎ−メチルアセトアミド、Ｎ−ビニルオキサゾリドン等のＮ−ビニル環状アミド単量体；（メタ）アクリルアミド、（メタ）イソプロピルアクリルアミド等のアクリルアミド類、；アルコキシポリアルキレングリコールの（メタ）アクリル酸エステル等のポリアルキレングリコール鎖含有単量体；等が例示される。これらの中でも、単量体（Ａ）との共重合性が良好であり、また、得られる重合体の再汚染防止能が良好であることから、（メタ）アクリル酸アルキルエステル系単量体、（メタ）アクリル酸ヒドロキシアルキル系単量体、ビニルアリール単量体、カルボン酸ビニル類、Ｎ−ビニル環状アミド単量体、アクリルアミド類が好ましい。【００８２】
ここで、上記一般式（７）で表される単量体（当該単量体の末端水酸基が他の有機基で修飾された構造の単量体を含む）は、単量体（Ａ）との二元の共重合性が充分でなく、本発明のアミノ基含有重合体を製造することが困難であるため、単量体（Ｂ）からは除外するものとする。【００８３】
−上記単量体（Ａ）以外のアミノ基含有単量体（Ｂ−２）−
上記単量体（Ｂ−２）は、重合性炭素−炭素不飽和二重結合と、１〜４級のアミノ基及び／又はその塩とを有する単量体（但し、単量体（Ａ）に該当する単量体を除く）であり、例えば、ビニルピリジン、ビニルイミダゾール、モルホリン、ビニルピロール等の環状アミン構造を有する、ビニル環状アミン系単量体；ジメチルアミノエチルアクリレート、ジメチルアミノエチルメタクリレート、ジメチルアミノプロピルアクリレート、アミノエチルメタクリレート等のアミノアルキル（メタ）アクリレート類；ジアリルアミン、ジアリルジメチルアミン等のアリルアミン類；これらのアミノ基を四級化した構造の単量体；等が挙げられる。
これらの中でも、単量体（Ａ）との共重合性が良好であり、また、得られる重合体の再汚染防止能が良好であることから、ビニル環状アミン系単量体、アミノアルキル（メタ）アクリレート類、アリルアミン類、カルボン酸ビニル類、Ｎ−ビニル環状アミド単量体、アクリルアミド類が好ましい。
なお、単量体（Ｂ−２）が四級化されたアミノ基を有する場合としては、１〜３級のアミノ基を有する単量体（Ｂ−２）を、公知の四級化剤で四級化した単量体等が例示される。公知の四級化剤としては、ハロゲン化アルキルや、ジアルキル硫酸等が挙げられる。【００８４】
上記アミノ基含有重合体において、上記構造単位（ｂ）の含有量は、該アミノ基含有重合体を形成する全単量体に由来する構造単位の総量（すなわち、構造単位（ａ）、構造単位（ｂ）及び後述する構造単位（ｅ）の総量）１００質量％に対し、１質量％以上、９９質量％以下である。構造単位（ｂ）の含有量が上記範囲内であれば、製造する重合体の分子量や単量体（Ａ）の重合性を好適に制御することが可能であることから、本発明の重合体の汚れ成分粒子や顔料の分散性や、再汚染防止能を好ましく発揮することが可能となる。また、界面活性剤との相溶性の顕著な向上効果を得ることができる。構造単位（ｂ）の含有量として、好ましくは１０質量％以上、９５質量％以下、より好ましくは２０質量％以上、９０質量％質量％以下、更に好ましくは３０質量％以上、８５質量％以下である。
なお、上記構造単位（ｂ）が、上記単量体（Ｂ−２）由来の構造単位である場合には、全単量体由来の構造単位の総量に対する質量割合や、上記単量体（Ｂ−２）の、全単量体の総量に対する質量割合を算出する際には、対応する未中和アミンの質量割合として計算するものとする。例えば、単量体（Ｂ−２）がビニルアミン塩酸塩の場合には、対応する未中和アミンであるビニルアミンの質量割合（質量％）を計算する。また、四級化されたアミノ基を含有する単量体又はそれに由来する構造単位の質量割合（質量％）を計算する場合には、カウンターアニオンの質量は考慮しないで（含めないで）計算するものとする。【００８５】
＜その他の単量体（Ｅ）＞
本発明のアミノ基含有重合体はまた、その他の単量体（Ｅ）（上記単量体（Ａ）及び（Ｂ）以外の単量体）に由来する構造単位（ｅ）を有していてもよい。なお、構造単位（ｅ）は、１種であってもよいし、２種以上であってもよい。【００８６】
上記その他の単量体（Ｅ）に由来する構造単位（ｅ）とは、上記その他の単量体（Ｅ）が有する不飽和二重結合が単結合に置き換わった構造単位である。本発明のアミノ基含有重合体が「その他の単量体（Ｅ）に由来する構造単位（ｅ）」を有するとは、最終的に得られた重合体が、単量体（Ｅ）の不飽和二重結合を単結合に置き換えた構造単位を有することを意味する。【００８７】
上記その他の単量体（Ｅ）としては、例えば、一般式（７）の構造を有する単量体（当該単量体の末端水酸基が他の有機基で修飾された構造の単量体を含む）、カルボキシル基を含む単量体、スルホン酸基を含む単量体、リン酸基を含む単量体等が挙げられる。【００８８】
本発明のアミノ基含有重合体に含まれ得る、任意成分であるその他の単量体（Ｅ）に由来する構造単位（ｅ）は、アミノ基含有重合体を形成する全単量体に由来する構造単位の総量（すなわち構造単位（ａ）、（ｂ）及び（ｅ）の総量）１００質量％に対して、上記構造単位（ｅ）が０〜２０質量％であることが好ましい。より好ましくは０〜１０質量％である。
なお、上記構造単位（ｅ）が酸基含有単量体由来の構造単位である場合には、全単量体由来の構造単位の総量に対する質量割合（質量％）は、対応する酸換算で計算するものとする。また、酸基含有単量体の、全単量体の総量に対する質量割合（質量％）を計算する場合も、対応する酸換算で計算するものとする。【００８９】
＜アミノ基含有重合体のその他の物性＞
本発明のアミノ基含有重合体は、上記構造単位（ａ）、（ｂ）、及び、必要に応じて構造単位（ｅ）が、上記したような特定の割合で導入されていればよい。
上記アミノ基含有重合体の重量平均分子量は、適宜設定できるものであり、特に限定されない。具体的には、アミノ基含有重合体の重量平均分子量は、２０００〜２０００００であることが好ましく、より好ましくは３０００〜１０００００、更に好ましくは４０００〜６００００である。重量平均分子量が上記範囲内であれば、再汚染防止能がより向上する傾向にある。
また上記アミノ基含有重合体の数平均分子量は、１０００〜１０００００であることが好ましい。より好ましくは１５００〜５００００、更に好ましくは２０００〜２５０００である。数平均分子量が上記範囲内であれば、再汚染防止能がより向上する傾向にある。
なお、本明細書において、重量平均分子量及び数平均分子量は、ＧＰＣ（ゲルパーミエーションクロマトグラフィー）による測定値であり、後述する実施例において記載される装置及び測定条件により測定することが可能である。【００９０】
本発明のアミノ基含有重合体は、再汚染防止能が高いものであるが、再汚染防止率が７５％以上であることが好ましい。より好ましくは７６％以上である。
なお、再汚染防止率は、後述する実施例と同様にして測定することができる。【００９１】
〔アミノ基含有重合体組成物〕
本発明のアミノ基含有重合体は、他の成分とともにアミノ基含有重合体組成物を構成してもよい。他の成分としては、重合開始剤残渣、残存モノマー、重合時の副生成物、水分等が挙げられ、これらの１種又は２種以上を含有することができる。
上記アミノ基含有重合体組成物は、本発明のアミノ基含有重合体を、アミノ基含有重合体組成物の総量１００質量％に対して、１〜１００質量％含有することが好ましい。上記アミノ基含有重合体組成物の好ましい形態の一つは、本発明のアミノ基含有重合体を４０〜６０質量％含有し、水を４０〜６０質量％含有する形態である。【００９２】
〔本発明のアミノ基含有重合体の製造方法〕
本発明のアミノ基含有重合体は、例えば、上記単量体（Ａ）及び（Ｂ）を必須とし、必要に応じてその他の単量体（Ｅ）を含む単量体成分を所定の割合で共重合することにより製造することができる。【００９３】
上記アミノ基含有重合体の製造方法において、重合に使用する各単量体の組成比は、全単量体（単量体（Ａ）、（Ｂ）、（Ｅ））の総量１００質量％に対して、単量体（Ａ）が１〜９９質量％であり、単量体（Ｂ）が、その合計量として１〜９９質量％である。単量体（Ａ）の含有量が１質量％未満であると、汚れ成分の分散性や再汚染防止能が低下することにより洗浄力が低下する場合がある。また、単量体（Ｂ）の含有量が１質量％未満であると、重合体の分子量や単量体（Ａ）の重合性が制御できなくなるおそれがある。このように、上記単量体（Ａ）と上記単量体（Ｂ）とを重合させる工程を含み、使用する全単量体の総量１００質量％に対し、単量体（Ａ）を１〜９９質量％使用し、単量体（Ｂ）を１〜９９質量％使用するアミノ基含有重合体の製造方法もまた、本発明の１つである。【００９４】
上記重合に使用する各単量体の組成比として好ましくは、単量体（Ａ）が５〜９０質量％、単量体（Ｂ）が１０〜９５質量％であり、より好ましくは、単量体（Ａ）が１０〜８０質量％、単量体（Ｂ）が２０〜９０質量％であり、特に好ましくは、単量体（Ａ）が１５〜７０質量％、単量体（Ｂ）が３０〜８５質量％である。
また、全単量体（単量体（Ａ）、（Ｂ）及び（Ｅ））の総量１００質量％に対して、単量体（Ｅ）を０〜６０質量％の割合で含んでいてもよい。より好ましくは０〜５０質量％、更に好ましくは０〜１０質量％、特に好ましくは０質量％である。【００９５】
上記アミノ基含有重合体を得るための重合方法としては、特に制限されず、通常用いられる重合方法又はそれを修飾した方法を採用することができる。重合方法としては、例えば、ラジカル重合法が挙げられ、具体的には、水中油型乳化重合法、油中水型乳化重合法、懸濁重合法、分散重合法、沈澱重合法、溶液重合法、水溶液重合法、塊状重合法等を採用することができる。中でも、安全性が高く、また、生産コスト（重合コスト）を低減することができる点で、溶液重合法を採用することが好ましい。【００９６】
上記溶液重合法においては、溶媒中で単量体成分を重合することとなるが、該溶媒としては、特に制限されず、通常、溶液重合法において用いられる溶媒を用いることができる。溶媒としては、例えば、水、アルコール、グリコール、グリセリン、ポリエチレングリコール類等の水性の溶媒が好適である。中でも、水がより好ましい。
上記溶媒は、１種のみを用いてもよいし、２種以上を併用してもよい。また、上記単量体成分の溶媒への溶解性を向上させるため、重合反応に悪影響を及ぼさない範囲で、有機溶媒を適宜加えても良い。【００９７】
上記有機溶媒としては、特に制限されず、任意の適切な有機溶媒を用いることができる。そのような有機溶媒としては、例えば、メタノール、エタノール等の低級アルコール；ジメチルホルムアルデヒド等のアミド類；ジエチルエーテル、ジオキサン等のエーテル類；等が挙げられる。上記有機溶媒は、１種のみを用いてもよいし、２種以上を併用してもよい。【００９８】
上記溶媒の使用量は、全単量体（単量体（Ａ）、（Ｂ）及び（Ｅ））の総量１００質量部に対して、好ましくは４０〜３００質量部、より好ましくは４５〜２００質量部、更に好ましくは５０〜１５０質量部の範囲である。溶媒の使用量が全単量体の総量１００質量部に対して４０質量部未満の場合には、得られる重合体の分子量が高くなりすぎるおそれがある。一方、溶媒の使用量が全単量体の総量１００質量部に対して３００質量部を超える場合には、得られる重合体の濃度が低くなり、場合によっては溶媒除去が必要となるおそれがある。
なお、溶媒は、重合初期に一部又は全量を反応容器内に仕込んでおけばよいが、溶媒の一部を重合反応中に反応系内に添加（滴下）してもよいし、単量体成分や開始剤等を予め溶媒に溶解させた形で、これらの成分と共に重合反応中に反応系内に添加（滴下）してもよい。【００９９】
上記溶液重合法の反応形態としては、特に制限されず、通常用いられる形態により反応を行うことができるが、代表的には、例えば、反応系内に予め仕込まれた溶媒中に、上記単量体成分を含む溶液と、重合開始剤（以下、「開始剤」とも称す）を含む溶液とを滴下して反応を行う形態が挙げられる。そのような反応形態において、上記滴下する各溶液の濃度は、特に制限されず、任意の適切な濃度を採用することができる。
上記反応系内に予め仕込まれた溶媒中に、上記単量体成分を含む溶液と重合開始剤を含む溶液とを滴下して反応を行う形態としては、例えば、単量体（Ａ）、単量体（Ｂ）、必要に応じて単量体（Ｅ）、開始剤成分、及び、必要に応じてその他の添加剤をそれぞれ溶媒に溶解し、又は、溶媒に溶解させずにそのままで、重合中に反応系内に適当に添加（滴下）して重合を行う形態が挙げられる。また、この反応形態においては、単量体（Ａ）の全使用量の一部又は全部を重合開始前に予め反応系内に添加（初期仕込み）することもできる。【０１００】
上記溶液重合法による重合反応においては、反応系内への単量体（Ａ）の添加が、単量体（Ｂ）の添加よりも早く終了することが好ましい。そして、単量体（Ａ）の添加終了時点において、単量体（Ｂ）の全使用量のうち５〜１００質量％が未添加であることがより好ましい。単量体（Ａ）の添加終了時点において、単量体（Ｂ）の全使用量の１０〜５０質量％が未添加であることが更に好ましく、単量体（Ｂ）の全使用量の１５〜３５質量％が未添加であることが特に好ましい。このような添加方法により添加して重合を行うことで、アミノ基含有単量体（Ａ）の重合性を改善することができるため、得られた重合体の分散性、再汚染防止能等を向上させることができる。【０１０１】
＜重合開始剤＞
上記製造方法において用いられる重合開始剤としては、通常用いられるものを使用することができる。具体的には、過酸化水素；過硫酸ナトリウム、過硫酸カリウム、過硫酸アンモニウム等の過硫酸塩；２，２’−アゾビス（２−アミジノプロパン）塩酸塩、４，４’−アゾビス−４−シアノパレリン酸、アゾビスイソブチロニトリル、２，２’−アゾビス（４−メトキシ−２，４−ジメチルバレロニトリル）等のアゾ系化合物；過酸化ベンゾイル、過酸化ラウロイル、過酢酸、ジ−ｔ−ブチルパーオキシド、クメンヒドロパーオキシド等の有機過酸化物等が好適である。これらの重合開始剤のうち、過酸化水素、過硫酸塩、２，２’−アゾビス（２−アミジノプロパン）塩酸塩が好ましく、過硫酸塩、２，２’−アゾビス（２−アミジノプロパン）塩酸塩が最も好ましい。これらの重合開始剤は、単独で使用されてもよく、２種以上を混合して使用されてもよい。【０１０２】
＜連鎖移動剤＞
上記製造方法においては、必要に応じ、重合に悪影響を及ぼさない範囲内で、重合体の分子量調整剤として連鎖移動剤を用いてもよい。連鎖移動剤を使用すると、製造される重合体が必要以上に高分子量化することを抑制し、低分子量のアミノ基含有重合体を効率よく製造することができるという利点がある。
上記連鎖移動剤として具体的には、例えば、メルカプトエタノール、チオグリセロール、チオグリコール酸、２−メルカプトプロピオン際、３−メルカプトプロピオン際、チオリンゴ酸、チオグリコール酸オクチル、３−メルカプトプロピオン酸オクチル、２−メルカプトエタンスルホン酸、ｎ−ドデシルメルカプタン、オクチルメルカプタン、ブチルチオグリコレート等の、チオール系連鎖移動剤；四塩化炭素、塩化メチレン、ブロモホルム、ブロモトリクロロエタン等の、ハロゲン化物；イソプロパノール、グリセリン等の、第２級アルコール；亜リン酸、次亜リン酸及びその塩（次亜リン酸ナトリウム、次亜リン酸カリウム等）や、亜硫酸、亜硫酸水素、亜二チオン酸、メタ重亜硫酸及びその塩（亜硫酸水素ナトリウム、亜硫酸水素カリウム、亜二チオン酸ナトリウム、亜二チオン酸カリウム、メタ重亜硫酸ナトリウム、メタ重亜硫酸カリウム等）等の、低級酸化物及びその塩等が挙げられる。上記連鎖移動剤は、単独で使用されてもよく、２種以上を混合して使用されてもよい。【０１０３】
上記製造方法において、亜硫酸及び／又は亜硫酸塩（以下、「亜硫酸（塩）」とも記載する）を連鎖移動剤として使用することは、好ましい形態である。その場合、亜硫酸（塩）に加えて重合開始剤を使用する。更に、後述する反応促進剤として、重金属イオンを併用してもよい。【０１０４】
上記亜硫酸（塩）は、亜硫酸若しくは亜硫酸水素又はこれらの塩を意味する。中でも、亜硫酸及び／又は亜硫酸水素が塩である形態が好適である。ここで、二亜硫酸塩のような、加水分解により亜硫酸水素塩（重亜硫酸塩）を生成する化合物も、亜硫酸（塩）に含む。
上記塩としては、金属塩、アンモニウム塩、有機アミン塩が好適である。
上記金属塩としては、例えば、リチウム塩、ナトリウム塩、カリウム塩等のアルカリ金属の塩；カルシウム塩、マグネシウム塩等のアルカリ土類金属の塩；アルミニウム塩、鉄塩等の重金属の塩等が好ましい。
また有機アンモニウム塩（有機アミン塩）としては、エタノールアミン塩、ジエタノールアミン塩、トリエタノールアミン塩等のアルカノールアミンの塩、トリエチルアミン塩等が好適である。
よって、本発明で好ましく使用される亜硫酸（塩）としては、例えば、亜硫酸水素ナトリウム、亜硫酸水素カリウム、亜硫酸水素アンモニウム、亜硫酸ナトリウム、亜硫酸カリウム、亜硫酸アンモニウム等が挙げられ、亜硫酸水素ナトリウムが特に好適である。上記亜硫酸（塩）は、単独で使用されてもよく、２種以上を混合して使用されてもよい。【０１０５】
＜反応促進剤＞
上記製造方法においては、開始剤等の使用量を低減する等の目的で反応促進剤を加えてもよい。反応促進剤としては、例えば、重金属イオンが挙げられる。本発明において、重金属イオンとは、比重が４ｇ／ｃｍ３以上の金属を意味する。
上記重金属イオンを構成する重金属としては、例えば、鉄、コバルト、マンガン、クロム、モリブデン、タングステン、銅、銀、金、鉛、白金、イリジウム、オスミウム、パラジウム、ロジウム、ルテニウム等が好ましい。これらの重金属は１種又は２種以上を用いることができる。これらの中でも、鉄がより好ましい。
上記重金属イオンのイオン価は特に限定されるものではなく、例えば、重金属として鉄が用いられる場合、開始剤における鉄イオンとしては、Ｆｅ２＋であっても、Ｆｅ３＋であってよく、これらが両方含まれていてもよい。【０１０６】
上記重金属イオンは、イオンの形態として含まれるものであれば特に限定されないが、重金属化合物を溶解してなる溶液を用いることが、取り扱い性に優れるため好適である。その際に用いる重金属化合物は、開始剤に含有することを所望する重金属イオンを含むものであれば良く、用いる開始剤に応じて決定することができる。
上記重金属イオンとして鉄を用いる場合、モール塩（Ｆｅ（ＮＨ４）２（ＳＯ４）２・６Ｈ２Ｏ）、硫酸第一鉄・７水和物、塩化第一鉄、塩化第二鉄等の重金属化合物等を用いることが好ましい。また、重金属イオンとしてマンガンを用いる場合、塩化マンガン等を好適に用いることができる。これらはいずれも水溶性の化合物であるため、水溶液の形態として用いることができ、取り扱い性に優れたものとなる。
なお、上記重金属化合物を溶解してなる溶液の溶媒としては、水に限定されるものではなく、本発明のアミノ基含有重合体の製造において、重合反応を妨げるものでなく、かつ、重金属化合物を溶解するものであればよい。【０１０７】
上記重金属イオンの添加方法は特に限定されないが、単量体の添加終了までに添加することが好ましく、全量を初期仕込することが特に好ましい。また、使用量としては反応液全量に対して１００ｐｐｍ以下であることが好ましく、より好ましくは７０ｐｐｍ以下、更に好ましくは５０ｐｐｍ以下、特に好ましくは３０ｐｐｍ以下である。１００ｐｐｍを越えると添加による効果が見られず、また得られた重合体の着色が大きく洗剤組成物として用いる場合等には使用できないおそれがあるため好ましくない。【０１０８】
上記重金属イオンの含有量は、また、重合反応完結時における重合反応液の全質量に対して０．１〜１０ｐｐｍであることが好ましい。重金属イオンの含有量が０．１ｐｐｍ未満であると、重金属イオンによる効果が充分に発現しないおそれがある。一方、重金属イオンの含有量が１０ｐｐｍを超えると、得られる重合体の色調の悪化を来たすおそれがある。また、重金属イオンの含有量が多いと、生成物である重合体を洗剤ビルダーとして用いる場合に、着色汚れの原因となるおそれがある。
なお、上記重合反応完結時とは、重合反応液中において重合反応が実質的に完了し、所望する重合体が得られた時点を意味する。例えば、重合反応液中において重合された重合体が酸成分で中和される場合には、中和した後の重合反応液の全質量を基準に、重金属イオンの含有量を算出する。２種以上の重金属イオンが含まれる場合には、重金属イオンの総量が上述の範囲であればよい。【０１０９】
上記製造方法において、重合の際には、上述した化合物等に加えて、重合開始剤の分解触媒や還元性化合物を反応系に添加してもよい。
上記重合開始剤の分解触媒としては、例えば、塩化リチウム、臭化リチウム等のハロゲン化金属；酸化チタン、二酸化ケイ素等の金属酸化物；塩酸、臭化水素酸、過塩素酸、硫酸、硝酸等の無機酸の金属塩；ギ酸、酢酸、プロピオン酸、ラク酸、イソラク酸、安息香酸等のカルボン酸、そのエステル及びその金属塩；ピリジン、インドール、イミダゾール、カルバゾール等の複素環アミン及びその誘導体等が挙げられる。これらの分解触媒は１種のみが単独で用いられてもよいし、２種以上が併用されてもよい。【０１１０】
上記還元性化合物としては、例えば、フェロセン等の有機金属化合物；ナフテン酸鉄、ナフテン酸銅、ナフテン酸ニッケル、ナフテン酸コバルト、ナフテン酸マンガン等の、鉄、銅、ニッケル、コバルト、マンガン等の金属イオンを発生できる無機化合物；三フッ化ホウ素エーテル付加物、過マンガン酸カリウム、過塩素酸等の無機化合物；二酸化硫黄、亜硫酸塩、硫酸エステル、重亜硫酸塩、チオ硫酸塩、スルホキシ酸塩、ベンゼンスルフィン酸及びその置換体、パラトルエンスルフィン酸等の環状スルフィン酸の同族体等の硫黄含有化合物；オクチルメルカプタン、ドデシルメルカプタン、メルカプトエタノール、α−メルカプトプロピオン酸、チオグリコール酸、チオプロピオン酸、α−チオプロピオン酸ナトリウムスルホプロピルエステル、α−チオプロピオン酸ナトリウムスルホエチルエステル等のメルカプト化合物；ヒドラジン、β−ヒドロキシエチルヒドラジン、ヒドロキシルアミン等の窒素含有化合物；ホルムアルデヒド、アセトアルデヒド、プロピオンアルデヒド、ｎ−ブチルアルデヒド、イソブチルアルデヒド、イソバレリアンアルデヒド等のアルデヒド類；アスコルビン酸等が挙げられる。これらの還元性化合物もまた、１種のみが単独で用いられてもよいし、２種以上が併用されてもよい。また、メルカプト化合物等の還元性化合物は、連鎖移動剤として添加してもよい。【０１１１】
上記連鎖移動剤、開始剤及び反応促進剤の組み合わせは、特に制限されず、上記各例示の中から適宜選択できる。例えば、連鎖移動剤、開始剤及び反応促進剤の組み合わせとしては、亜硫酸水素ナトリウム／過酸化水素、亜硫酸水素ナトリウム／過硫酸ナトリウム、亜硫酸水素ナトリウム／Ｆｅ（イオン）、亜硫酸水素ナトリウム／過酸化水素／Ｆｅ（イオン）、亜硫酸水素ナトリウム／過硫酸ナトリウム／Ｆｅ（イオン）、亜硫酸水素ナトリウム／過硫酸ナトリウム／過酸化水素、亜硫酸水素ナトリウム／酸素／Ｆｅ（イオン）等の形態が好ましい。より好ましくは、過硫酸ナトリウム／過酸化水素、過硫酸ナトリウム／過酸化水素／Ｆｅ（イオン）、亜硫酸水素ナトリウム／過硫酸ナトリウム、亜硫酸水素ナトリウム／過硫酸ナトリウム／Ｆｅ（イオン）であり、最も好ましくは亜硫酸水素ナトリウム／過硫酸ナトリウム／Ｆｅ（イオン）、過硫酸ナトリウム／過酸化水素／Ｆｅ（イオン）である。【０１１２】
＜重合開始剤等の使用量＞
上記重合開始剤の使用量は、単量体の共重合を開始できる量であれば特に制限されないが、全単量体成分（単量体（Ａ）、（Ｂ）及び（Ｅ））の総量１モルに対して、１５ｇ以下であることが好ましい。より好ましくは１〜１２ｇである。
上記開始剤として過酸化水素を使用する場合、過酸化水素の添加量は、全単量体成分の総量１モルに対して１．０〜１０．０ｇであることが好ましく、２．０〜８．０ｇであることがより好ましい。過酸化水素の添加量が１．０ｇ未満であると、得られる重合体の重合平均分子量が高くなる傾向にある。一方、添加量が１０．０ｇを超えると、添加量の増加に見合うだけの効果が得られなくなり、更に、残存する過酸化水素量が多くなる等の影響を及ぼす。【０１１３】
上記開始剤として過硫酸塩を使用する場合、過硫酸塩の添加量は、全単量体成分の総量１モルに対して１．０〜５．０ｇであることが好ましく、２．０〜４．０ｇであることがより好ましい。過硫酸塩の添加量が上記範囲より少ないと、得られる重合体の分子量が高くなる傾向がある。一方、添加量が上記範囲より多いと、添加量の増加に見合うだけの効果が得られなくなり、更に、得られる重合体の純度が低下する等の影響を及ぼすことになる。【０１１４】
上記開始剤として過酸化水素と過硫酸塩とを併用する場合、過酸化水素及び過硫酸塩の添加比率は、過酸化水素に対する過硫酸塩の重量比が０．１〜５．０であることが好ましく、０．２〜２．０であることがより好ましい。過硫酸塩の重量比が０．１未満であると、得られる共重合体の重量平均分子量が高くなる傾向がある。一方、過硫酸塩の重量比が５．０を超えると、過硫酸塩の添加による分子量低下の効果が、添加量の増加に見合うほどには得られなくなり、重合反応系において過硫酸塩が無駄に消費されることになる。【０１１５】
上記過酸化水素の添加方法としては、実質的に連続的に滴下することにより添加する量が、必要所定量の８５質量％以上であることが好ましく、９０質量％以上であることがより好ましく、１００質量％、すなわち全量を滴下により添加することが最も好ましい。過酸化水素を連続的に滴下する際、その滴下速度は変えてもよい。【０１１６】
上記過酸化水素の滴下は、後述する好適な反応条件（温度、圧力、ｐＨ等）の下で反応を行う場合において、単量体（初期仕込みする単量体を除く）の滴下開始後、遅らせて開始することが好ましい。具体的には、好ましくは単量体（Ａ）の滴下開始後１分以上経過後、より好ましくは３分以上経過後、更に好ましくは５分以上経過後、最も好ましくは１０分以上経過後に過酸化水素の滴下を開始することである。過酸化水素の滴下開始を遅らせることにより、初期の重合開始をスムーズにし、分子量分布を狭くすることが可能となる。過酸化水素の滴下開始を遅らせる時間は、単量体の滴下開始後６０分以内であることが好ましく、３０分以内であることがより好ましい。【０１１７】
上記過酸化水素の滴下を単量体の滴下と同時に開始することや、単量体の滴下前に予め過酸化水素を仕込むことも可能であるが、予め過酸化水素を仕込む場合は、必要所定量の１０％以下であることが好ましい。より好ましくは７％以下、更に好ましくは５％以下、特に好ましくは３％以下である。
単量体の滴下開始までに必要所定量の１０％を超える過酸化水素を添加すると、例えば過硫酸塩を併用する場合には過硫酸塩に対する過酸化水素の濃度の比率が大きくなり、重合が停止するおそれがある。一方、単量体の滴下開始から６０分より遅く開始すると、過酸化水素による連鎖移動反応等が起こらなくなるため、重合初期の分子量が高くなる。【０１１８】
また過酸化水素の滴下は、後述する好適な反応条件（温度、圧力、ｐＨ等）の下で反応を行う場合において、単量体の滴下終了と同時に終了することが好ましい。また、単量体滴下終了時間よりも１０分以上早く終了することがより好ましく、３０分以上早く終了することが特に好ましい。なお、単量体の滴下終了時間より遅く終了しても、重合系において特に悪影響を及ぼすものではない。ただ、添加した過酸化水素が重合終了時までに完全には分解しないため、未反応の過酸化水素については添加による効果が得られず無駄となる。また、過酸化水素が多量に残存すると、得られた重合体の熱的安定性に悪影響を及ぼす可能性があるため好ましくない。【０１１９】
上記過硫酸塩の添加方法としては、特に限定はされないが、その分解性等を考慮すると、実質的に連続的に滴下することにより添加する量が必要所定量の５０質量％以上であることが好ましい。より好ましくは８０質量％以上であり、１００質量％、すなわち全量を滴下することが最も好ましい。過硫酸塩を連続的に滴下する際、その滴下速度は変えてもよい。滴下時間も特に限定されないが、後述する好適な反応条件（温度、圧力、ｐＨ等）の下で反応を行う場合において、過硫酸塩は比較的分解の早い開始剤であるため、単量体の滴下終了時間まで滴下を続けることが好ましい。また、単量体滴下終了後から３０分以内に滴下を終了することがより好ましく、単量体滴下後５分〜２０分以内に滴下を終了することが特に好ましい。これにより、製造した重合体における単量体の残量を著しく減じることが出来る。
なお、単量体の滴下終了前に、これら開始剤の滴下を終了しても、重合に特に悪影響を及ぼすものではない。また、得られた重合体中の単量体の残存量に応じて開始剤の滴下終了時間を設定すればよい。【０１２０】
上記過硫酸塩のように比較的分解の早い開始剤について、滴下終了時間についてのみ好ましい範囲を述べたが、滴下開始時間は何ら限定されるものではなく、適宜設定すればよい。例えば、単量体の滴下開始前に開始剤の滴下を開始してもよいし、２種以上の開始剤を併用する場合においては、一つの開始剤の滴下を開始し、一定の時間が経過後又は滴下が終了してから別の開始剤の滴下を開始してもよい。いずれの場合にも、開始剤の分解速度、単量体の反応性に応じて適宜開始剤の滴下開始時間を設定すればよい。【０１２１】
上記重合開始剤を滴下により添加する場合の開始剤溶液の濃度は、特には限定されないが、好ましくは５〜６０質量％、特に好ましくは１０〜５０質量％である。開始剤の濃度が５質量％未満であると、結果的に重合中の単量体濃度が非常に低くなるので、単量体の重合性が非常に悪くなり得られる重合体中における単量体の残存量が非常に多くなる。また輸送等の効率や生産性も低くなり経済的な面からも好ましくない。逆に６０質量％を超えると、安全性や滴下の簡便性の面で課題となる。【０１２２】
上記連鎖移動剤の添加量は、単量体（Ａ）、（Ｂ）及び（Ｅ）が良好に重合する量であれば制限されないが、好ましくは単量体（Ａ）、（Ｂ）及び（Ｅ）からなる全単量体成分の総量１モルに対して、１〜２０ｇ、より好ましくは２〜１５ｇである。１ｇ未満であると、分子量の制御ができないおそれがある。一方、２０ｇを超えると、不純物が多量に生成し、重合体純分が低下するおそれがある。特に、亜硫酸塩を使用する場合には、余剰の亜硫酸塩が反応系中で分解され、亜硫酸ガスが発生するおそれがある。更に、経済的にも不利となるおそれがある。【０１２３】
上記重合開始剤と連鎖移動剤との組み合わせとしては、過硫酸塩と亜硫酸塩とをそれぞれ１種以上用いることが最も好ましい。この場合、過硫酸塩と亜硫酸塩との混合比は、特に制限されないが、過硫酸塩１質量部に対して、亜硫酸塩０．５〜５質量部を用いることが好ましい。亜硫酸塩量の下限は、過硫酸塩１質量部に対して１質量部であることがより好ましく、最も好ましくは２質量部である。また、亜硫酸塩量の上限は、過硫酸塩１質量部に対して４質量部であることがより好ましく、最も好ましくは３質量部である。過硫酸塩１質量部に対して亜硫酸塩が０．５質量部未満であると、低分子量化する際に、必要となる開始剤総量が増加するおそれがあり、５質量部を超えると、副反応が増加し、それによる不純物が増加するおそれがある。【０１２４】
上記連鎖移動剤、開始剤及び反応促進剤の総使用量は、単量体（Ａ）、（Ｂ）及び（Ｅ）からなる全単量体成分の総量１モルに対して、２〜２０ｇであることが好ましい。このような範囲とすることで、本発明の重合体を効率よく生産することができ、また、アミノ基含有重合体の分子量分布を所望のものとすることができる。より好ましくは、４〜１８ｇであり、更に好ましくは、６〜１５ｇである。【０１２５】
上記製造方法において、単量体成分、重合開始剤及び連鎖移動剤の反応容器への添加方法としては、滴下、分割投入等の連続投入方法を適用することができる。また、それぞれ単独で反応容器へ導入してもよく、他の成分や、溶媒等と予め混合しておいてもよい。
具体的な添加方法としては、反応容器に単量体成分の全てを仕込み、重合開始剤を反応容器内に添加することによって共重合を行う方法；反応容器に単量体成分の一部を仕込み、重合開始剤と残りの単量体成分とを反応容器内に連続してあるいは段階的に（好ましくは連続して）添加することによって共重合を行う方法；反応容器に重合溶媒を仕込み、単量体成分と重合開始剤の全量を添加する方法；等が挙げられる。このような方法の中でも、得られる重合体の分子量分布を狭く（シャープに）することができ、汚れの分散性や再汚染防止能を向上することができることから、重合開始剤と単量体成分とを反応容器に逐次滴下する方法で共重合を行うことが好ましい。このような重合は、回分式でも連続式でも行うことができる。【０１２６】
＜重合条件＞
上記製造方法において、重合温度等の重合条件は、用いられる重合方法、溶媒、重合開始剤等により適宜定められるが、重合温度としては、２５〜２００℃であることが好ましい。より好ましくは、５０〜１５０℃であり、更に好ましくは、６０〜１２０℃であり、特に好ましくは、８０〜１１０℃である。重合温度が低すぎると、得られる重合体の重量平均分子量が高くなり過ぎるおそれや、不純物の生成量が増加するおそれがある。【０１２７】
上記重合温度は、重合反応において、常にほぼ一定に保持する必要はなく、例えば、室温から重合を開始し、適当な昇温時間又は昇温速度で設定温度まで昇温し、その後、設定温度を保持するようにしてもよいし、単量体成分や開始剤等の滴下方法に応じて、重合反応中に経時的に温度変動（昇温又は降温）させてもよい。なお、重合温度とは、重合反応の反応溶液の温度をいう。また、重合温度の測定方法や制御手段については、任意の適切な方法や手段を採用することができる。例えば、一般に使用される装置を用いて測定すれば良い。【０１２８】
上記製造方法における重合時の圧力は、特に制限されず、任意の適切な圧力を採用することができる。例えば、常圧（大気圧）下、減圧下、加圧下のいずれであってもよい。また、反応系内の雰囲気は、空気雰囲気のままで行ってもよいし、不活性ガス雰囲気としてもよい。反応系内の雰囲気を不活性ガス雰囲気とする場合には、例えば、重合開始前に反応系内を窒素等の不活性ガスで置換することにより行うことができる。これによって、反応系内の雰囲気ガス（例えば、酸素ガス等）が液相内に溶解し、重合禁止剤として作用することとなる。【０１２９】
上記製造方法において、上記添加成分の添加が終了し、反応系における重合反応が終了した時点での反応溶液（重合体溶液）中の固形分濃度は、３５質量％以上であることが好ましい。３５質量％未満の場合には、得られる重合体の生産性を大幅に向上することができないおそれがある。より好ましくは４０〜７０質量％、更に好ましくは４５〜６５質量％である。このように、重合反応終了時の固形分濃度が３５質量％以上であれば、高濃度かつ一段で重合を行うことができる。そのため、効率よく重合体を得ることができる。例えば、濃縮工程を省略することができ、重合体の生産性が大幅に向上し、製造コストの上昇も抑制することが可能となる。なお、重合反応が終了した時点とは、全ての添加成分の添加が終了した時点を表しているが、その後の所定の熟成時間を経過した時点（重合が完結した時点）においても、反応溶液中の固形分濃度が、上述した範囲であることが好ましい。上記固形分濃度は、１３０℃の熱風乾燥機で１時間処理した後の不揮発分を求めることで、算出することができる。【０１３０】
上記熟成時間は、好ましくは１〜１２０分間、より好ましくは５〜６０分間、更に好ましくは１０〜３０分間である。熟成時間が１分間未満の場合には、熟成が不十分なために単量体成分が残存することがあり、残存モノマーに起因する不純物によって性能低下等を招くおそれがある。熟成時間が１２０分間を超える場合には、重合体溶液の着色のおそれがある。【０１３１】
上記製造方法において、重合時間は、特に制限されないが、好ましくは３０〜４２０分であり、より好ましくは４５〜３９０分であり、更に好ましくは６０〜３６０分であり、最も好ましくは９０〜３００分である。なお、本発明において「重合時間」とは、特に断らない限り、単量体を添加している時間、すなわち、単量体の添加を開始してから終了するまでの時間を表す。【０１３２】
上記製造方法により製造することができる本発明のアミノ基含有重合体は、水系用途において高い性能を発揮でき、耐硬水性、洗浄力、再汚染防止能、クレー（Ｃｌａｙ）分散性、界面活性剤との相互作用等が高いので、分散剤、洗剤用ビルダー、洗剤組成物、洗浄剤、水処理剤、繊維処理剤に用いた場合に特に優れた性能を発揮することができる。【０１３３】
〔用途〕
本発明のアミノ基含有重合体（又はアミノ基含有重合体組成物）は、凝固剤、凝集剤、印刷インク、接着剤、土壌調整（改質）剤、難燃剤、スキンケア剤、ヘアケア剤、シャンプー・ヘアースプレー・石鹸・化粧品用添加剤、アニオン交換樹脂、繊維・写真用フィルムの染料媒染剤や助剤、製紙における顔料展着剤、紙力増強剤、乳化剤、防腐剤、織物・紙の柔軟剤、潤滑油の添加剤、水処理剤、繊維処理剤、分散剤、洗剤添加剤、スケール防止剤（スケール抑制剤）、金属イオン封止剤、増粘剤、各種バインダー、乳化剤等として用いることができる。中でも、上述したように、水処理剤、繊維処理剤、分散剤、洗剤用ビルダー、洗剤組成物に用いることが好ましい。すなわち、上記アミノ基含有重合体を含む、水処理剤、繊維処理剤、分散剤、洗剤ビルダー、及び、洗剤組成物もまた、本発明の好適な実施形態に含まれる。
以下では、アミノ基含有重合体を含む上記各用途について、更に説明する。【０１３４】
＜水処理剤＞
本発明のアミノ基含有重合体（又はアミノ基含有重合体組成物）は、水処理剤に用いることができる。
上記水処理剤には、必要に応じて、他の配合剤として、重合リン酸塩、ホスホン酸塩、防食剤、スライムコントロール剤、キレート剤を含んでもよい。
上記水処理剤は、冷却水循環系、ボイラー水循環系、海水淡水化装置、パルプ蒸解釜、黒液濃縮釜等でのスケール防止に有用である。また、性能、効果に影響しない範囲で、任意の適切な水溶性重合体を含んでもよい。【０１３５】
＜繊維処理剤＞
本発明のアミノ基含有重合体（又はアミノ基含有重合体組成物）はまた、繊維処理剤に用いることができる。
上記繊維処理剤における本発明のアミノ基含有重合体の含有量は、繊維処理剤全体１００質量％に対して、好ましくは１〜１００質量％であり、より好ましくは５〜１００質量％である。また、性能、効果に影響しない範囲で、任意の適切な水溶性重合体を含んでいてもよい。
上記繊維処理剤は、繊維処理における精錬、染色、漂白、ソーピングの工程で使用することができる。【０１３６】
上記繊維処理剤として好ましくは、染色剤、過酸化物及び界面活性剤からなる群より選ばれる少なくとも１つと、本発明のアミノ基含有重合体（又はアミノ基含有重合体組成物）とを含むことである。上記染色剤、過酸化物及び界面活性剤としては、繊維処理剤に通常使用されるものが挙げられる。
上記アミノ基含有重合体と、染色剤、過酸化物及び界面活性剤からなる群より選ばれる少なくとも１つとの配合比率は、例えば、繊維の白色度、色むら、染色けんろう度の向上のためには、繊維処理剤純分換算で、本発明の重合体１重量部に対して、染色剤、過酸化物及び界面活性剤からなる群より選ばれる少なくとも１つを０．１〜１００重量部とすることが好ましい。【０１３７】
上記繊維処理剤を使用できる繊維としては、任意の適切な繊維を採用することができる。例えば、木綿、麻等のセルロース系繊維、ナイロン、ポリエステル等の化学繊維、羊毛、絹糸等の動物性繊維、人絹等の半合成繊維及びこれらの織物及び混紡品が挙げられる。
上記繊維処理剤を精錬工程に適用する場合は、本発明の重合体と、アルカリ剤及び界面活性剤とを配合することが好ましい。漂白工程に適用する場合には、本発明の重合体と、過酸化物と、アルカリ性漂白剤の分解抑制剤としての珪酸ナトリウム等の珪酸系薬剤とを配合することが好ましい。【０１３８】
＜分散剤＞
本発明のアミノ基含有重合体（又はアミノ基含有重合体組成物）はまた、分散剤に用いることができる。分散剤の中でも、無機顔料分散剤に用いることが好適である。
上記無機顔料分散剤には、必要に応じて、他の配合剤として、縮合リン酸及びその塩、ホスホン酸及びその塩、ポリビニルアルコールを含んでもよい。
上記無機顔料分散剤中における、本発明のアミノ基含有重合体の含有量は、無機顔料分散剤全体１００質量％に対して、好ましくは５〜１００質量％である。また、性能、効果に影響しない範囲で、任意の適切な水溶性重合体を含んでいてもよい。【０１３９】
上記無機顔料分散剤は、紙コーティングに用いられる重質又は軽質炭酸カルシウム、クレーの無機顔料の分散剤として良好な性能を発揮し得る。例えば、無機顔料分散剤を無機顔料に少量添加して水中に分散することにより、低粘度でしかも高流動性を有し、かつ、それらの性能の経日安定性が良好な、高濃度炭酸カルシウムスラリーのような高濃度無機顔料スラリーを製造することができる。【０１４０】
上記無機顔料分散剤を無機顔料の分散剤として用いる場合、該無機顔料分散剤の使用量は、無機顔料１００重量部に対して、０．０５〜２．０重量部が好ましい。無機顔料分散剤の使用量が上記範囲内にあることによって、充分な分散効果を得ることが可能となり、添加量に見合った効果を得ることが可能となり、経済的にも有利となり得る。【０１４１】
＜洗剤ビルダー＞
本発明のアミノ基含有重合体（又はアミノ基含有重合体組成物）はまた、洗剤ビルダーとして用いられうる。洗剤ビルダーとしては、衣料用、食器用、住居用、毛髪用、身体用、歯磨き用及び自動車用等、様々な用途の洗剤に添加されて使用され得る。【０１４２】
＜洗剤組成物＞
本発明のアミノ基含有重合体（又はアミノ基含有重合体組成物）はまた、洗剤組成物にも添加しうる。すなわち、上記アミノ基含有重合体は、洗剤組成物への添加剤（洗剤添加剤とも称す）として用いることができる。また、上記アミノ基含有重合体を含む洗剤組成物は、本発明の１つである。
上記洗剤組成物における上記アミノ基含有重合体の含有量は特に制限されない。ただし、優れたビルダー性能を発揮しうるという観点からは、上記アミノ基含有重合体の含有量は、洗剤組成物の全量１００質量％に対して、好ましくは０．１〜１５質量％であり、より好ましくは０．３〜１０質量％であり、更に好ましくは０．５〜５質量％である。【０１４３】
洗剤用途で用いられる洗剤組成物には、通常、洗剤に用いられる界面活性剤や添加剤が含まれる。これらの界面活性剤や添加剤の具体的な形態は特に制限されず、洗剤分野において一般的に知られている知見が適宜参照されうる。また、上記洗剤組成物は、粉末洗剤組成物であってもよいし、液体洗剤組成物であってもよい。
なお、洗剤組成物の概念には、家庭用洗剤の合成洗剤、繊維工業その他の工業用洗剤、硬質表面洗浄剤の他、その成分の１つの働きを高めた漂白洗剤等の特定の用途にのみ用いられる洗剤も含まれる。【０１４４】
上記界面活性剤としては、アニオン性界面活性剤、ノニオン性界面活性剤、カチオン性界面活性剤及び両性界面活性剤からなる群から選択される１種又は２種以上が好適である。２種以上が併用される場合、アニオン性界面活性剤とノニオン性界面活性剤との合計量は、界面活性剤の全量１００質量％に対して５０質量％以上であることが好ましく、より好ましくは６０質量％以上であり、更に好ましくは７０質量％以上であり、特に好ましくは８０質量％以上である。【０１４５】
上記アニオン性界面活性剤としては、例えば、アルキルベンゼンスルホン酸塩、アルキルエーテル硫酸塩、アルケニルエーテル硫酸塩、アルキル硫酸塩、アルケニル硫酸塩、α−オレフィンスルホン酸塩、α−スルホ脂肪酸又はそのエステル塩、アルカンスルホン酸塩、飽和脂肪酸塩、不飽和脂肪酸塩、アルキルエーテルカルボン酸塩、アルケニルエーテルカルボン酸塩、アミノ酸型界面活性剤、Ｎ−アシルアミノ酸型界面活性剤、アルキルリン酸エステル又はその塩、アルケニルリン酸エステル又はその塩等が好適である。これらのアニオン性界面活性剤におけるアルキル基及びアルケニル基には、メチル基等のアルキル基が分岐していてもよい。【０１４６】
上記ノニオン性界面活性剤としては、例えば、ポリオキシアルキレンアルキルエーテル、ポリオキシアルキレンアルケニルエーテル、ポリオキシエチレンアルキルフェニルエーテル、高級脂肪酸アルカノールアミド又はそのアルキレンオキサイド付加物、ショ糖脂肪酸エステル、アルキルグリコキシド、脂肪酸グリセリンモノエステル、アルキルアミンオキサイド等が好適である。これらのノニオン性界面活性剤におけるアルキル基及びアルケニル基には、メチル基等のアルキル基が分岐していてもよい。【０１４７】
上記カチオン性界面活性剤としては、例えば、第４級アンモニウム塩等が好適である。
上記両性界面活性剤としては、カルボキシル型両性界面活性剤、スルホベタイン型両性界面活性剤等が好適である。これらのカチオン性界面活性剤、両性界面活性剤におけるアルキル基及びアルケニル基は、メチル基等のアルキル基が分岐していてもよい。【０１４８】
上記界面活性剤の配合割合は、通常、洗剤組成物の全量１００質量％に対して１０〜６０質量％である。界面活性剤の配合割合が少なすぎると、充分な洗浄力を発揮できなくなるおそれがあり、界面活性剤の配合割合が多すぎると、経済性が低下するおそれがある。好ましくは１５〜５０質量％であり、更に好ましくは２０〜４５質量％であり、特に好ましくは２５〜４０質量％である。【０１４９】
上記添加剤としては、例えば、アルカリビルダー、キレートビルダー、カルボキシメチルセルロースナトリウム等の汚染物質の再沈着を防止するための再付着防止剤；ベンゾトリアゾールやエチレン−チオ尿素等の汚れ抑制剤；ソイルリリース剤；色移り防止剤；柔軟剤；ｐＨ調節のためのアルカリ性物質；香料；可溶化剤；蛍光剤；着色剤；起泡剤；泡安定剤；つや出し剤；殺菌剤；漂白剤；漂白助剤；酵素；染料；溶媒等が好適である。また、粉末洗剤組成物の場合には、ゼオライトを配合することが好ましい。【０１５０】
上記洗剤組成物は、本発明のアミノ基含有重合体（又はアミノ基含有重合体組成物）に加えて、他の洗剤ビルダーを含んでもよい。
上記他の洗剤ビルダーとしては、特に制限されないが、例えば、炭酸塩、炭酸水素塩、珪酸塩等のアルカリビルダーや、トリポリリン酸塩、ピロリン酸塩、ボウ硝、ニトリロトリ酢酸塩、エチレンジアミンテトラ酢酸塩、クエン酸塩、（メタ）アクリル酸の共重合体塩、アクリル酸−マレイン酸共重合体、フマル酸塩、ゼオライト等のキレートビルダー、カルボキシメチルセルロース等の多糖類のカルボキシル誘導体等が挙げられる。
上記ビルダーに用いられる対塩としては、ナトリウム、カリウム等のアルカリ金属、アンモニウム、アミン等が挙げられる。【０１５１】
上記添加剤及び他の洗剤用ビルダーの合計の配合割合は、洗剤組成物１００質量％に対して０．１〜５０質量％が好ましい。添加剤及び他の洗剤ビルダーの合計の配合割合が０．１質量％未満であると、充分な洗剤性能を発揮できなくなるおそれがあり、５０質量％を超えると経済性が低下するおそれがある。より好ましくは０．２〜４０質量％、更に好ましくは０．３〜３５質量％、特に好ましくは０．４〜３０質量％、最も好ましくは０．５〜２０質量％である。【０１５２】
上記洗剤組成物が液体洗剤組成物である場合、液体洗剤組成物に含まれる水分量は、液体洗剤組成物の全量１００質量％に対して０．１〜７５質量％であることが好ましい。より好ましくは０．２〜７０質量％、更に好ましくは０．５〜６５質量％、更により好ましくは０．７〜６０質量％、特に好ましくは１〜５５質量％、最も好ましくは１．５〜５０質量％である。【０１５３】
上記洗剤組成物が液体洗剤組成物である場合、当該洗剤組成物は、カオリン濁度が２００ｍｇ／Ｌ以下であることが好ましく、より好ましくは１５０ｍｇ／Ｌ以下であり、更に好ましくは１２０ｍｇ／Ｌ以下であり、特に好ましくは１００ｍｇ／Ｌ以下であり、最も好ましくは５０ｍｇ／Ｌ以下である。
なお、カオリン濁度は、例えば、下記方法により測定することができる。
＜カオリン濁度の測定方法＞
厚さ１０ｍｍの５０ｍｍ角セルに均一に攪拌した試料（液体洗剤）を仕込み、気泡を除いた後、日本電色社製ＮＤＨ２０００（商品名、濁度計）を用いて２５℃でのＴｕｂｉｄｉｔｙ（カオリン濁度：ｍｇ／Ｌ）を測定する。【０１５４】
上記洗剤組成物に配合することができる酵素としては、プロテアーゼ、リパーゼ、セルラーゼ等が好適である。中でも、アルカリ洗浄液中で活性が高いプロテアーゼ、アルカリリパーゼ及びアルカリセルラーゼが好ましい。上記酵素の添加量は、洗浄剤組成物１００質量％に対して５質量％以下であることが好ましい。５質量％を超えると、洗浄力の向上が見られなくなり、経済性が低下するおそれがある。
上記アルカリビルダーとしては、珪酸塩、炭酸塩、硫酸塩等が好適である。上記キレートビルダーとしては、ジグリコール酸、オキシカルボン酸塩、ＥＤＴＡ（エチレンジアミン四酢酸）、ＤＴＰＡ（ジエチレントリアミン五酢酸）、ＳＴＰＰ（トリポリリン酸ナトリウム）、クエン酸等が好適である。本発明の重合体以外のその他の水溶性ポリカルボン酸系ポリマーを用いてもよい。
上記洗剤組成物は、分散能に優れ、更に、長期間保存した場合の性能低下や低温で保持した場合の不純物析出等が生じにくい極めて高品質剤性能で安定性に優れた洗剤とすることができる。
【発明の効果】
【０１５５】
本発明のアミノ基含有重合体は、例えば洗浄時に汚れ成分の優れた分散性や再汚染防止能を発揮し、優れた界面活性剤との相溶性を示すことから、高濃縮タイプの液体洗剤へも配合が可能であり、洗剤組成物等の原料として好適に用いることができるものである。
【図面の簡単な説明】
【０１５６】
【図１】合成例１で得られた単量体（１）（アリルグリシジルエーテルのグリシジル基にジエタノールアミンを付加した単量体）を乾燥後、１ＨＮＭＲを測定したチャートである。
【図２】合成例２で得られた単量体（２）（アリルグリシジルエーテルのグリシジル基にジｎ−ブチルアミンを付加した単量体）を乾燥後、１ＨＮＭＲを測定したチャートとである。
【発明を実施するための形態】
【０１５７】
以下に実施例を掲げて本発明を更に詳細に説明するが、本発明はこれらの実施例のみに限定されるものではない。なお、特に断りのない限り、「部」は「重量部」を、「％」は「質量％」を意味するものとする。
また、単量体や反応中間体の定量及び各種物性値の測定は、以下の方法により行った。
【０１５８】
＜重量平均分子量及び数平均分子量の測定条件（ＧＰＣ）＞
装置：日立製作所社製  Ｌ−７０００シリーズ
検出器：ＨＩＴＡＣＨＩ  ＲＩ  Ｄｅｔｅｃｔｏｒ  Ｌ−７４９０
カラム：昭和電工社製  ＳＨＯＤＥＸ  Ａｓａｈｉｐａｋ  ＧＦ−３１０−ＨＱ、ＧＦ−７１０−ＨＱ、ＧＦ−１Ｇ  ７Ｂ
カラム温度：４０℃
流速：０．５ｍｌ／ｍｉｎ
検量線：ジーエルサイエンス社製  ＰＯＬＹＥＴＨＹＬＥＮＥ  ＧＬＹＣＯＬ  ＳＴＡＮＤＡＲＤ
溶離液：０．１Ｎ酢酸ナトリウム／アセトニトリル＝３／１（質量比）
【０１５９】
＜単量体の定量方法＞
単量体の定量は、特に言及した場合を除き、下記条件にて高速クロマトグラフィーを用いて行った。
測定装置：東ソー社製  ８０２０シリーズ
カラム：資生堂社製  ＣＡＰＣＥＬＬ  ＰＡＫ  Ｃ１  ＵＧ１２０
温度：４０．０℃
溶離液：１０ｍｍｏｌ／Ｌリン酸水素二ナトリウム・１２水和物水溶液
（リン酸でｐＨ７に調整）／アセトニトリル＝４５／５５（体積比）
流速：１．０ｍｌ／ｍｉｎ
検出器：ＲＩ、ＵＶ（検出波長：２１５ｎｍ）
【０１６０】
＜固形分の測定＞
窒素雰囲気下、１３０℃に加熱したオーブンで、本発明のアミノ基含有重合体を含む重合体組成物１．０ｇに水１．０ｇを加えたものを１時間放置して乾燥処理した。乾燥前後の質量変化から、固形分（％）と揮発成分（％）とを算出した。
【０１６１】
合成例１
還流冷却器、攪拌機、及び、窒素導入管を備えた容量１０００ｍＬのガラス製４つ口フラスコに、ジエタノールアミン（以下、ＤＥＡと称す。）３１５．４ｇを仕込み、窒素導入、及び、攪拌しながら、液温を５０℃に調整した。次に、攪拌しながら、アリルグリシジルエーテル（以下、ＡＧＥと称す。）３４９．３ｇをゆっくりと２時間かけて滴下した。液温は５０℃〜６０℃を保持した。滴下終了後、更に、２時間、液温６０℃で熟成して、純水６６４．７ｇを加えて５０％水溶液としたものを単量体（１）水溶液として得た。
反応の進行は液体クロマトグラフィー及び１ＨＮＭＲで確認した。
【０１６２】
合成例２
還流冷却器、攪拌機、及び、窒素導入管を備えた容量２０００ｍＬのガラス製４つ口フラスコに、純水４９１．０ｇ、及び、ジｎ−ブチルアミン（以下、ＤＢＡと称す。）２５８．０ｇを仕込み、窒素導入、及び、攪拌しながら、液温を５０℃に調整した。次に、攪拌しながら、ＡＧＥ２３２．８ｇをゆっくりと２時間かけて滴下した。液温は５０℃〜６０℃を保持した。滴下終了後、更に、２時間、液温６０℃で熟成した。室温まで冷却した後、分液ロートに移し、静置すると２層に分離するので、下層の水層を廃棄した。更に、上層に純水を加えて洗浄した。これをナスフラスコに移し、ロータリーエバポレーターで水分を完全に除去することにより、単量体（２）を得た。
反応の進行は液体クロマトグラフィー及び１ＨＮＭＲで確認した。
【０１６３】
実施例１
還流冷却器、攪拌機（パドル翼）を備えた容量１０００ｍＬのガラス製セパラブルフラスコに、純水１５０．０ｇ、及び、モール塩０．００４６ｇを仕込み、攪拌しながら、９０℃まで昇温して重合反応系とした。次に、攪拌下、９０℃に保持された重合反応系中に、アクリル酸ヒドロキシエチル（以下、ＨＥＡと称す。）２００．０ｇ、単量体（１）水溶液１００．０ｇ、１５％過硫酸ナトリウム水溶液（以下、１５％ＮａＰＳと称す。）５２．１ｇ、３５％亜硫酸水素ナトリウム（以下、３５％ＳＢＳと称す。）４４．６ｇ、及び、純水１０８．１ｇを、それぞれ別々のノズルより滴下した。
各溶液の滴下開始は同時とし、各溶液の滴下時間は、ＨＥＡについては１２０分間、単量体（１）については６０分間、１５％ＮａＰＳについては１３０分間、３５％ＳＢＳについては１２０分間、及び、純水については１２０分間とした。また、各溶液の滴下速度は一定とし、各溶液の滴下は連続的に行った。１５％ＮａＰＳの滴下終了後、更に３０分間、上記反応溶液を９０℃に保持（熟成）して重合を終了した。このようにして、固形分濃度４４％の共重合体（１）を含む水溶液（重合体組成物（１））を得た。
【０１６４】
実施例２
還流冷却器、攪拌機（パドル翼）を備えた容量１０００ｍＬのガラス製セパラブルフラスコに、純水１５０．０ｇ、及び、モール塩０．００４５ｇを仕込み、攪拌しながら、９０℃まで昇温して重合反応系とした。次に、攪拌下、９０℃に保持された重合反応系中に、アクリル酸ジメチルアミノエチル（以下、ＤＡＡと称す。）２００．０ｇ、単量体（２）５０．０ｇ、１５％ＮａＰＳを４３．４ｇ、及び、純水１１５．１ｇを、それぞれ別々のノズルより滴下した。
各溶液の滴下開始は同時とし、各溶液の滴下時間は、ＤＡＡについては１２０分間、単量体（１）については６０分間、１５％ＮａＰＳについては１３０分間、及び、純水については１２０分間とした。また、各溶液の滴下速度は一定とし、各溶液の滴下は連続的に行った。１５％ＮａＰＳの滴下終了後、更に３０分間、上記反応溶液を９０℃に保持（熟成）して重合を終了した。このようにして、固形分濃度４４％の共重合体（２）を含む水溶液（重合体組成物（２））を得た。
【０１６５】
比較例１
還流冷却器、温度計、攪拌機を備えたガラス製の１００ｍｌセパラブルフラスコにポリエチレンイミン（Ｍｗ９５００、Ｍｎ６５００；以下、ＰＥＩと称す。）を４０ｇ仕込み、攪拌しながらデナコールＥＸ−１２１（ナガセケムテックス社製、２−エチルヘキシルグリシジルエーテル（以下、２ＥＨＧＨと称す））１０ｇを加えた。この重合体混合物を攪拌下６０℃に昇温して４時間反応させ、比較重合体（１）を得た。比較重合体（１）は、水に対して任意の割合で完全に溶解し、しかも、Ｄ２Ｏ中のＮＭＲスペクトル測定において、３．５ｐｐｍ付近にエポキシ環が開環して生ずるメチンプロトン由来のシグナルが検出されたことから、その生成が確認された。
【０１６６】
−残存単量体量の測定−
重合体組成物（１）、（２）の液体クロマトグラフィーによる測定の結果、残存単量体は１０００ｐｐｍ以下であり、仕込量どおりの組成の重合体が得られたことが確認できた。
【０１６７】
−相溶性試験−
実施例１で得た共重合体（１）、実施例２で得た共重合体（２）、及び、比較例１で得た比較共重合体（１）の各々について、以下のようにして界面活性剤との相溶性を評価した。
＜界面活性剤との相溶性＞
試験サンプル（重合体組成物）を含む洗剤組成物を下記の配合で調製した。 
・ＳＦＴ−７０Ｈ（日本触媒社製、ポリオキシエチレンアルキルエーテル）；４０ｇ
・ネオペレックスＦ−６５（花王社製、ドデシルベンゼンスルホン酸ナトリウム）；７．７ｇ(有効成分５ｇ)
・コータミン８６Ｗ（花王社製、ステアリルトリメチルアンモニウムクロリド）；１７．９ｇ(有効成分５ｇ)
・ジエタノールアミン；５ｇ
・エタノール；５ｇ
・プロピレングリコール；５ｇ
・試験サンプル（固形分換算）；１．５ｇ
・イオン交換水；バランス（イオン交換水の量は、試験サンプルの量を実際の使用量として、上記全合計が１００ｇとなるように適宜調整する。）
各成分が均一になる様に充分に攪拌し、２５℃での濁度値を、濁度計（日本電色社製「ＮＤＨ２０００」）を用い、Ｔｕｒｂｉｄｉｔｙ（カオリン濁度：ｍｇ／ｌ）で測定した。このカオリン濁度に基づいて、以下の基準で評価した。
○：カオリン濁度が０以上、５０未満（ｍｇ／ｌ）であり、目視で分離、沈殿又は白濁していない。
△：カオリン濁度が５０以上、２００未満（ｍｇ／ｌ）であり、目視で僅かに白濁している。
×：カオリン濁度が２００以上（ｍｇ／ｌ）であり、目視で白濁している。
【０１６８】
−再汚染防止能試験−
実施例１で得た共重合体（１）、実施例２で得た共重合体（２）、及び、比較例１で得た比較共重合体（１）の各々について、以下のようにして再汚染防止能を評価した。結果を表１に示す。
【０１６９】
＜再汚染防止能試験＞
再汚染防止能試験は、下記の手順に従って行った。
（１）Ｔｅｓｔ  ｆａｂｒｉｃ社より入手したポリエステル布を５ｃｍ×５ｃｍに切断し、白布を作成した。この白布を予め日本電色工業社製の測色色差計ＳＥ２０００型を用いて、白色度を反射率にて測定した。
（２）塩化カルシウム２水和物１．１ｇに純水を加えて１５ｋｇとし、硬水を調製した。
（３）ポリオキシエチレン（２０）ラウリルエーテル４．０ｇに、純水を加えて、１００．０ｇとし、界面活性剤水溶液を調製した。ｐＨは、水酸化ナトリウムで８．５に調整した。
（４）ターゴットメーターを２５℃にセットし、硬水１Ｌ、界面活性剤水溶液５ｇ、固形分換算で５％の重合体水溶液１ｇ、及び、カーボンブラック１．０ｇをポットに入れ、１５０ｒｐｍで１分間撹拌した。その後、白布５枚を入れ、１００ｒｐｍで１０分間撹拌した。
（５）手で白布の水を切り、２５℃にした水道水１Ｌをポットに入れ、１００ｒｐｍで２分間撹拌した。
（６）白布に当て布をして、アイロンでしわを伸ばしながら乾燥させた後、上記測色色差計にて再度白布の白度を反射率にて測定した。
（７）以上の測定結果から下式により再汚染防止率を求めた。
再汚染防止率（％）＝（洗浄後の白色度）／（原白布の白色度）×１００。
【０１７０】
【表１】
2012033183.tif 000014
【０１７１】
表１中、「ＡＧＥ−ＤＥＡ」とは、合成例１で得た単量体（１）水溶液である。また、「ＡＧＥ−ＤＢＡ」とは、合成例２で得た単量体（２）である。
【０１７２】
実施例及び比較例の結果から、本発明のアミノ基含有重合体が、従来の重合体と比較して優れた再汚染防止能を有していることが分かった。
【図１】
2012033183.tif 000019
【図２】
2012033183.tif 000020
【国際調査報告】
2012033183.tif 000021
2012033183.tif 000022
2012033183.tif 000023
2012033183.tif 000024